(57)【要約】  デュアル接続モードにおけるモビリティ・ロバスト性に関連する方法、システム、及びデバイスが説明される。代表的な一態様では、ワイヤレス通信のための方法は、マスタ通信ノードにおいて、第１の接続から第２の接続への変更を要求する第１のセカンダリ通信ノードからの第１のメッセージを受信することを含む。この方法は、第２の接続の確立を要求するために、第２のセカンダリ通信ノードに第２のメッセージを送信することを含む。この方法は、第２の接続の構成を確認する第３のメッセージを前記モバイル装置から受信することを含む。この方法は、第２の接続の失敗を示す第４のメッセージを前記モバイル装置から受信することを含む。この方法はさらに、第１の接続から第２の接続への変更が不適切な変更であることを報告するために、第５のメッセージを第１のセカンダリ通信ノードに送信することを含む。【選択図】図１
2021518729.tif 000002
【特許請求の範囲】
【請求項１】
ワイヤレス通信の方法であって、
マスタ通信ノードにおいて、第1のセカンダリ通信ノードから、モバイル装置と前記第１のセカンダリ通信ノードとの間の第１の接続から、前記モバイル装置と第２のセカンダリ通信ノードとの間の第２の接続への変更を要求する第１のメッセージを受信するステップであって、前記第１のメッセージは、前記第２のセカンダリ通信ノードを識別する情報を含むステップと、
前記マスタ通信ノードから、前記第２のセカンダリ通信ノードへの第２のメッセージを送信して、前記モバイル装置と前記第２のセカンダリ通信ノードとの間の第２の接続の確立を要求するステップと、
前記マスタ通信ノードにおいて、前記モバイル装置から、前記モバイル装置と第２のセカンダリ通信ノードとの間の第２の接続の構成を確認する第３のメッセージを受信するステップと、
前記マスタ通信ノードにおいて、前記モバイル装置から、前記モバイル装置と第２のセカンダリ通信ノードとの間の第２の接続の失敗を示す第４のメッセージを受信するステップと、
前記マスタ通信ノードから前記第1のセカンダリ通信ノードへ、前記第１の接続から前記第２の接続への変更が不適切な変更であることを通知する第５のメッセージを送信するステップと
を含む、ワイヤレス通信の方法。
【請求項２】
前記マスタ通信ノードによって、前記モバイル装置と前記第２のセカンダリ通信ノードとの間の前記第２の接続から、前記モバイル装置と第３のセカンダリ通信ノードとの間の第３の接続に変更することを決定するステップを含む、請求項１に記載の方法。
【請求項３】
前記第２の接続から前記第３の接続に変更することを決定するステップは、
前記マスタ通信ノードにおいて、前記第２のセカンダリ通信ノードから、前記第２の接続を前記第３の接続に変更することを要求する第６のメッセージを受信することを含み、
前記第６のメッセージは、前記第３のセカンダリ通信ノードを識別する情報を含む、請求項２に記載の方法。
【請求項４】
前記第２の接続から前記第３の接続に変更することを決定するステップは、
前記マスタ通信ノードにより、第４のメッセージに含まれる測定結果に基づいて、前記第３の接続を確立するために使用される第３のセカンダリ通信ノードを識別する、請求項２に記載の方法。
【請求項５】
前記マスタ通信ノードから、第７のメッセージを前記第３のセカンダリ通信ノードに送信して、前記モバイル装置と第３のセカンダリ通信ノードとの間の第３の接続を確立するステップを更に含む、請求項１に記載の方法。
【請求項６】
前記マスタ通信ノードは、次のタイプの理由コードのうちの１つを使用して、前記第１の接続から前記第２の接続への不適切な変更を示す、請求項１に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項７】
前記マスタ通信ノードは、誤ったセカンダリノード変更の理由コードを用いて、前記第１の接続から前記第２の接続への不適切な変更を示し、
前記マスタ通信ノードが、前記第１のセカンダリ通信ノードが、前記第１の接続から前記第３の接続への変更を要求すると予測したことを示す、請求項１に記載の方法。
【請求項８】
前記第５のメッセージは、前記第１のセカンダリ通信ノードに１以上の閾値を調整させて、前記第２のセカンダリ通信ノードへの接続変更を減らし、前記第３のセカンダリ通信ノードへの接続変更を増やす、請求項１に記載の方法。
【請求項９】
ワイヤレス通信のための方法であって、
第１のセカンダリ通信ノードからマスタ通信ノードに第１のメッセージを送信して、前記モバイル装置と第１のセカンダリ通信ノードとの間の第１の接続から前記モバイル装置と第２のセカンダリ通信ノードとの間の第２の接続への変更を要求するステップと、
前記第１のセカンダリ通信ノードにおいて、マスタ通信ノードから、前記第１の接続から前記第２の接続への変更を確認する第２のメッセージを受信するステップと、
前記第１のセカンダリ通信ノードにおいて、前記モバイル装置と前記第２のセカンダリ通信ノードとの間の前記第２の接続の失敗を示す第３のメッセージを受信するステップと、
前記第１の接続から前記第２の接続への変更が不適切な変更であるとの判断に基づいて、前記第１のセカンダリ通信ノードにより、前記第２のセカンダリ通信ノードへの接続変更を低減するため、１以上の閾値を調整するステップと
を含む、ワイヤレス通信のための方法。
【請求項１０】
前記第３のメッセージは、前記第２のセカンダリ通信ノードから受信され、前記第３のメッセージは、前記第１の接続から前記第２の接続への変更が不適切な変更であることを報告するための情報を含む、請求項９に記載の方法。
【請求項１１】
前記第３のメッセージは、前記マスタ通信ノードから受信され、
前記第１のセカンダリ通信ノードから、前記第２のセカンダリ通信ノードに、前記１以上の閾値を調整する前に、前記モバイル装置と前記セカンダリ通信ノードとの間の前記第２の接続の失敗を示す第４のメッセージを送信するステップと、
前記第１のセカンダリ通信ノードにおいて、前記第２のセカンダリ通信ノードから、前記第１の接続から前記第２の接続への変更が不適切な変更であることを通知する第５のメッセージを受信するステップと
を含む、請求項９に記載の方法。
【請求項１２】
前記不適切な変更の決定は、前記第２のセカンダリ通信ノードによって行われる、請求項１１に記載の方法。
【請求項１３】
前記不適切な変更の決定は、前記第１のメッセージ、前記第２のメッセージ、及び前記第３のメッセージに基づいて、前記第１のセカンダリ通信ノードによって行われる、請求項９に記載の方法。
【請求項１４】
前記第１の接続から前記第２の接続への前記不適切な変更は、次のタイプの理由コードのうちの１つを使用して示される、請求項９に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項１５】
前記第３のメッセージは、前記モバイル装置と前記第１のセカンダリ通信ノードとの間の第３の接続を確立するための要求を含む、請求項９に記載の方法。
【請求項１６】
前記第１の接続から前記第２の接続への前記不適切な変更は、早すぎるセカンダリノード変更の理由コードを使用して示される、請求項１５に記載の方法。
【請求項１７】
前記第３のメッセージは、前記モバイル装置と前記第３のセカンダリ通信ノードとの間に第３の接続を確立するために使用される第３のセカンダリ通信ノードを識別する、請求項９に記載の方法。
【請求項１８】
前記第１の接続から前記第２の接続への前記不適切な変更は、誤ったセカンダリノード変更の理由コードを使用して示される、請求項１７に記載の方法。
【請求項１９】
ワイヤレス通信のための方法であって、
第１のセカンダリ通信ノードにおいて、前記モバイル装置と第１のセカンダリ通信ノードとの間の第１の接続の失敗を示す第１のメッセージを受信するステップと、
第１のセカンダリ通信ノードから、第２のメッセージをマスタ通信ノードに送信して、前記モバイル装置と前記第１のセカンダリ通信ノードとの間の第１の接続から、前記モバイル装置と第２のセカンダリ通信ノードとの間の第２の接続への変更を要求するステップと、
前記第１のセカンダリ通信ノードにおいて、前記マスタ通信ノードから、前記モバイル装置と前記第２のセカンダリ通信ノードとの間の前記第２の接続の確立に成功したことを示す第３のメッセージを受信するステップと、
前記第１の接続から前記第２の接続への変更が不適切な変更であるとの判断に基づいて、前記第１のセカンダリ通信ノードによって、前記第２のセカンダリ通信ノードへの接続変更を増加させるため、１以上の閾値を調整するステップと
を含む、ワイヤレス通信のための方法。
【請求項２０】
前記不適切な変更の決定は、前記第１のメッセージ、前記第２のメッセージ、及び前記第３のメッセージに基づいて行われる、請求項１９に記載の方法。
【請求項２１】
前記第２のメッセージを前記マスタ通信ノードに送信することは、前記マスタ通信ノードから前記第１のメッセージを受信する前に実行される、請求項１９に記載の方法。
【請求項２２】
前記第１の接続から前記第２の接続への前記不適切な変更は、以下のタイプの理由コードのうちの１つを使用して示される、請求項１９に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項２３】
前記第１の接続から前記第２の接続への前記不適切な変更は、遅すぎるセカンダリノード変更の理由コードを使用して示される、請求項２２に記載の方法。
【請求項２４】
ワイヤレス通信のための方法であって、
第１のセカンダリ通信ノードから第１のメッセージをマスタ通信ノードに送信して、前記モバイル装置と第１のセカンダリ通信ノードとの間の第１の接続から前記モバイル装置と第２のセカンダリ通信ノードとの間の第２の接続への第１の変更を要求するステップと、
前記第１のセカンダリ通信ノードにおいて、前記マスタ通信ノードから、前記第１の接続から前記第２の接続への変更を確認する第２のメッセージを受信するステップと、
前記第１のセカンダリ通信ノードにおいて、前記マスタ通信ノードから、前記モバイル装置と前記第２のセカンダリ通信ノードとの間の第２の接続から、前記モバイル装置と前記第１のセカンダリ通信ノードとの間の第３の接続への変更への第２の変更を要求する第３のメッセージを受信するステップと、
前記第１の変更又は前記第２の変更が不適切な変更であるとの判断に基づいて、前記第１のセカンダリ通信ノードによって、前記第１のセカンダリ通信ノードと前記第２のセカンダリ通信ノードとの間の接続変更を減少又は増加するために１以上の閾値を調整するステップと
を備える、ワイヤレス通信のための方法。
【請求項２５】
前記第１の接続から前記第２の接続への前記不適切な変更は、次のタイプの理由コードのうちの１つを使用して示される、請求項２４に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項２６】
前記第１の接続から前記第２の接続への前記不適切な変更は、前記ピンポンセカンダリノード変更の理由コードを使用して示される、請求項２４に記載の方法。
【請求項２７】
請求項１〜２６のいずれかに記載の方法を実行するように構成されたプロセッサを備える、ワイヤレス通信のための装置。
【請求項２８】
プロセッサによって実行されたときに、前記コードが記憶されたコードを有する一時的でないコンピュータ可読媒体であって、前記プロセッサに請求項１〜２６のいずれかに記載の方法を実装させる、コンピュータ可読媒体。
【発明の詳細な説明】
【技術分野】
【０００１】
この特許文献は、一般に、デジタルワイヤレス通信に関する。
【背景技術】
【０００２】
モバイル通信技術は、ますます接続されネットワーク化された社会に向かって世界を動かしている。移動通信の急速な成長及び技術の進歩により、容量及び接続性に対するより更なる要求が高まっている。エネルギー消費、デバイスコスト、スペクトル効率、及びレイテンシなどの他の見地も、様々な通信シナリオのニーズを満たすために重要である。より高いサービス品質を提供するための新しい方法を含む様々な技術が議論されている。
【発明の概要】
【０００３】
この明細書は、デュアル接続モードにおけるモビリティ・ロバスト性に関連する方法、システム、及びデバイスを開示する。
【０００４】
１つの代表的な態様では、ワイヤレス通信のための方法が開示される。この方法は、マスタ通信ノードにおいて、第１のセカンダリ通信ノードから、モバイル装置と第１のセカンダリ通信ノードとの間の第１の接続から、モバイル装置と第２のセカンダリ通信ノードとの間の第２の接続への変更を要求する第１のメッセージを受信することを含む。第１のメッセージは、第２のセカンダリ通信ノードを識別する情報を含む。この方法は、マスタ通信ノードから第２のセカンダリ通信ノードに、モバイル装置と第２のセカンダリ通信ノードとの間の第２の接続の確立を要求するための第２のメッセージを送信することを含む。この方法は、マスタ通信ノードにおいて、モバイル装置から、モバイル装置と第２のセカンダリ通信ノードとの間の第２の接続の構成を確認する第３のメッセージを受信することを含む。この方法は、マスタ通信ノードにおいて、モバイル装置から、モバイル装置と第２のセカンダリ通信ノードとの間の第２の接続の失敗を示す第４のメッセージを受信することを含む。本方法はさらに、第１の接続から第２の接続への変更が不適切な変更であることを報告するために、マスタ通信ノードから第１のセカンダリ通信ノードへ第５のメッセージを送信することを含む。第５のメッセージは、第１のセカンダリ通信ノード及び第２のセカンダリ通信ノードを識別する情報を含む。
【０００５】
別の代表的な態様では、ワイヤレス通信のための方法が開示される。この方法は、第１のセカンダリ通信ノードからマスタ通信ノードに、第１のメッセージを送信して、モバイル装置と第１のセカンダリ通信ノードとの間の第１の接続から、モバイル装置と第２のセカンダリ通信ノードとの間の第２の接続への変更を要求することを含む。第１のメッセージは、第２のセカンダリ通信ノードを識別する情報を含む。この方法は、第１のセカンダリ通信ノードにおいて、第１の接続から第２の接続への変更を確認する第２のメッセージをマスタ通信ノードから受信することを含む。この方法は、第１のセカンダリ通信ノードで、マスタ通信ノードからの第３のメッセージを受信することを含む。第３のメッセージは、モバイル装置と第２のセカンダリ通信ノード間の第２の接続の失敗を示す。この方法は、第１の接続から第２の接続への変更が不適切な変更であるという決定に基づいて、第１のセカンダリ通信ノードによって、第２のセカンダリ通信ノードへの接続変更を低減するための１以上の閾値を調整することをさらに含む。
【０００６】
別の代表的な態様では、ワイヤレス通信のための方法が開示される。この方法は、第１のセカンダリ通信ノードにおいて、マスタ通信ノードから第１のメッセージを受信することを含む。第１のメッセージは、モバイル装置と第１のセカンダリ通信ノード間の第１の接続の失敗を示す。この方法は、第１のセカンダリ通信ノードからマスタ通信ノードに第２のメッセージを送信して、モバイル装置と第１のセカンダリ通信ノードとの間の第１の接続から、モバイル装置と第２のセカンダリ通信ノードとの間の第２の接続への変更を要求することを含む。第２のメッセージは、第２のセカンダリ通信ノードを識別する情報を含む。この方法は、第１のセカンダリ通信ノードにおいて、モバイル装置と第２のセカンダリ通信ノードとの間の第２の接続の確立の成功を示す第３のメッセージをマスタ通信ノードから受信することを含む。第３のメッセージは、第２のセカンダリ通信ノード及びモバイル装置を識別する情報を含む。本方法はさらに、第１の接続から第２の接続への変更が不適切な変更であるという決定に基づいて、第１のセカンダリ通信ノードを調整することによって、第２のセカンダリ通信ノードへの接続変更を増加させるための１以上の閾値を調整することを含む。
【０００７】
別の代表的な態様では、ワイヤレス通信方法が開示される。この方法は、第１のセカンダリ通信ノードから、第１のメッセージをマスタ通信ノードに送信して、モバイル装置と第１のセカンダリ通信ノードとの間の第１の接続から、モバイル装置と第２のセカンダリ通信ノードとの間の第２の接続への第１の変更を要求することを含む。第１のメッセージは、第２のセカンダリ通信ノードを識別する情報を含む。また、本方法は、第１のセカンダリ通信ノードにおいて、前記第１の接続から前記第２の接続への変更を確認する第２のメッセージを前記マスタ通信ノードから受信することと、前記第１のセカンダリ通信ノードにおいて、前記モバイル装置と前記第２のセカンダリ通信ノードとの間の第２の接続から、前記モバイル装置と前記第１のセカンダリ通信ノードとの間の第３の接続への第２の変更を要求する第３のメッセージをマスタ通信ノードから受信することと、前記第１の変更又は前記第２の変更が不適切な変更であるとの判断に基づいて、前記第１のセカンダリ通信ノードによって、前記第１のセカンダリ通信ノードと前記第２のセカンダリ通信ノードとの間の接続変更を減少又は増加させるための１以上の閾値を調整することとを含む。
【０００８】
別の代表的な態様では、プロセッサを備えるワイヤレス通信装置が開示される。プロセッサは、本明細書で説明される方法を実施するように構成される。
さらに別の代表的な態様では、本明細書で説明される様々な技法は、プロセッサ実行可能コードとして実施され、コンピュータ可読プログラム媒体上に格納され得る。
１以上の実装の詳細は、添付の添付物、図面、及び以下の説明に記載される。他の特徴は、説明及び図面、ならびに特許請求の範囲から明らかになるであろう。
【図面の簡単な説明】
【０００９】
【図１】デュアル接続性（ＤＣ）のためのシステムアーキテクチャの例示的な概略図を示す。
【図２】マスタ通信ノードにおいて実施され得るワイヤレス通信のための方法のフローチャート表現である。
【図３Ａ】セカンダリ通信ノードにおいて実施され得るワイヤレス通信のための方法のフローチャート表現である。
【図３Ｂ】セカンダリ通信ノードにおいて実施され得るワイヤレス通信のための別の方法のフローチャート表現である。
【図３Ｃ】セカンダリ通信ノードにおいて実施され得るワイヤレス通信のためのさらに別の方法のフローチャート表現である。
【図４Ａ】本技術の１以上の実施形態による技法を適用することができるワイヤレス通信システムの例を示す。
【図４Ｂ】無線局の一部分を表すブロック図である。
【図５】ＳＮ変更のためのユーザ機器（ＵＥ）、マスタノード（ＭＮ）、及びセカンダリノード（ＳＮ）間の代表的なシグナリング手順を示す。
【図６】ＳＮ変更のための、ＵＥ、ＭＮ、ＳＮ間の別の代表的なシグナリング手順を示す。
【図７】ＳＮ変更のための、ＵＥ、ＭＮ、及びＳＮ間の別の代表的なシグナリング手順を示す。
【図８】ＳＮ変更のための、ＵＥ、ＭＮ、及びＳＮ間の別の代表的なシグナリング手順を示す。
【図９】ＳＮ変更のための、ＵＥ、ＭＮ、及びＳＮ間の別の代表的なシグナリング手順を示す。
【図１０】ＳＮ変更のための、ＵＥ、ＭＮ、及びＳＮ間の別の代表的なシグナリング手順を示す。
【図１１】ＳＮ変更のための、ＵＥ、ＭＮ、及びＳＮ間の別の代表的なシグナリング手順を示す。
【図１２】ＳＮ変更のための、ＵＥ、ＭＮ、及びＳＮ間の別の代表的なシグナリング手順を示す。
【図１３】ＳＮ変更のための、ＵＥ、ＭＮ、及びＳＮ間の別の代表的なシグナリング手順を示す。
【図１４】ＳＮ変更のための、ＵＥ、ＭＮ、及びＳＮ間の別の代表的なシグナリング手順を示す。
【図１５】ＳＮ変更のための、ＵＥ、ＭＮ、及びＳＮ間の別の代表的なシグナリング手順を示す。
【図１６】ＳＮ変更のための、ＵＥ、ＭＮ、及びＳＮ間の別の代表的なシグナリング手順を示す。
【図１７】ＳＮ変更のための、ＵＥ、ＭＮ、及びＳＮ間の別の代表的なシグナリング手順を示す。
【図１８】ＳＮ変更のための、ＵＥ、ＭＮ、及びＳＮ間のさらに別の代表的なシグナリング手順を示す。
【発明を実施するための形態】
【００１０】
新しい世代のワイヤレス通信、すなわち5G New Radio （ＮＲ）通信の開発は、増加するネットワーク需要の要件を満たすための継続的なモバイルブロードバンド発展プロセスの一部である。ＮＲは、より多くのユーザが同時に接続できるように、より大きなスループットを提供する。エネルギー消費、デバイスコスト、スペクトル効率、及びレイテンシなどの他の見地も、様々な通信シナリオのニーズを満たすために重要である。
【００１１】
ＮＲがワイヤレス市場に出現するにつれて、現在の又は旧来のワイヤレス接続プロトコル（例えば、ロングタームエボリューション（ＬＴＥ）又は別の４Ｇワイヤレスプロトコル）を使用するワイヤレスサービスは、依然として同時に利用可能であり得る。したがって、ＮＲプロトコルと現行（又は旧来の）プロトコルの両方をサポートできるＵＥが配備される可能性がある。図１は、デュアル接続性（ＤＣ）のためのシステムアーキテクチャの例示的な概略図を示す。コアネットワーク１０３内の現在の基地局（第１のネットワーク要素１０１と称する）は、ＵＥ１００のために第２のネットワーク要素１０２として機能するのに適した基地局を選択することができる。例えば、基地局のチャネル品質を所定の閾値と比較することによって、適切な基地局を選択することができる。両方の基地局は、ユーザプレーン上でのデータ送信のためにＵＥ１００にワイヤレスリソースを提供することができる。有線インタフェース側では、第１のネットワーク要素１０１及びコアネットワーク１０３は、ＵＥ１００のための制御プレーンインターフェース１０４を確立する。第２のネットワーク要素１０２及びコアネットワーク１０３は、ＵＥ１００のためのユーザプレーンインターフェース１０５を確立することができる。インタフェース１０６（例えば、Ｘｎインターフェース）は、２つのネットワーク要素を相互接続する。ワイヤレスインタフェース側では、第１及び第２のネットワーク要素（１０１及び１０２）は、同一又は異なる無線アクセス技術（ＲＡＴ）を使用してワイヤレスリソースを提供することができる。ネットワーク要素の各々は、ＵＥ１００との送信を独立にスケジュールすることができる。第１のネットワーク要素１０１のように、コアネットワークへの制御プレーン接続を有するネットワーク要素は、マスターノード（ＭＮ）と呼ばれる。コアネットワークとのユーザプレーン接続のみを有するネットワーク要素は、セカンダリノード（ＳＮ）（例えば、第２のネットワーク要素１０２）と呼ばれる。場合によっては、ＵＥ１００は、２つ以上のノードに接続することができ、１つのノードがマスタノードとして機能し、残りがセカンダリノードとして機能し得る。
【００１２】
いくつかの実施形態では、ＵＥは、ＬＴＥ-ＮＲデュアル接続（ＤＣ）をサポートすることができる。例えば、典型的なＬＴＥ-ＮＲデュアル接続アーキテクチャのうちの１つは、マスタノードは、ＬＴＥ  ＲＡＮノード（例えば、ｅＮＢ）であり、セカンダリノードは、ＮＲ  ＲＡＮノード（例えば、ｇＮＢ）であるように設定されることができる。ｅＮＢ及びｇＮＢは、ＥＰＣ（Evolved Packet Core）ネットワーク（例えば、ＬＴＥコアネットワーク）に同時に接続される。図１に示すアーキテクチャは、様々なマスタ／セカンダリノード構成を含むように変更することもできる。例えば、ＮＲ  ＲＡＮノードはマスタノードであり、ＬＴＥ  ＲＡＮノードはセカンダリノードである。このような場合、マスタＮＲ  ＲＡＮノードのコアネットワークは次世代コンバージドネットワーク（ＮＧ−ＣＮ）である。
【００１３】
デュアル接続性の場合、マスタノードはＵＥの通信のメイン制御を提供する。いくつかの実施形態では、セカンダリノード（例えば、ｇＮＢ）はまた、いくつかの制御機能を提供することができる。例えば、セカンダリノードは、セカンダリ通信ノード変更要求（例えば、ＳＮ変更要求）を開始し、そのような要求をマスタノードに送信してもよい。そのような場合、セカンダリ通信ノードのためのロバスト性問題（時には、モビリティロバストネス最適化とも呼ばれる）に対処することが望ましい。特に、早すぎる、又は遅すぎるＳＮ変更など、不適切なＳＮ変更を回避又は最小限に抑えることが望ましい。
【００１４】
本明細書は、マスタ通信ノード又はセカンダリ通信ノードのいずれかによって通信ノードの変更を処理するために様々な実施形態において使用可能な技術を記述する。開示された技術は、マスタ通信ノード又はセカンダリ通信ノードが通信ノードの変更に対してより良い将来の判定を行うことを可能にするために、不適切な通信ノード変更に関する統計を収集するために使用することができる。いくつかの実施形態では、例えば、一般に５Ｇアーキテクチャに従う実施形態では、マスタ通信ノードは、５Ｇ規格で使用されるマスタノード（ＭＮ）とすることができる。同様に、いくつかの実施形態では、セカンダリ通信ノードは、５Ｇ規格で使用されるセカンダリノード（ＳＮ）とすることができる。
【００１５】
図２は、マスタ通信ノードにおいて実施され得るワイヤレス通信のための方法２００のフローチャート表現である。方法２００は、２０２において、マスタ通信ノードにおいて、モバイル装置と第１のセカンダリ通信ノードとの間の第１の接続からモバイル装置と第２のセカンダリ通信ノードとの間の第２の接続への変更を要求する第１のセカンダリ通信ノードからの第１のメッセージを受信する。第１のメッセージは、第２のセカンダリ通信ノードを識別する情報を含む。方法２００は、２０４において、マスタ通信ノードから第２のセカンダリ通信ノードに第２のメッセージを送信して、モバイル装置と第２のセカンダリ通信ノードとの間の第２の接続の確立を要求することを含む。方法２００は、２０６において、マスタ通信ノードにおいて、モバイル装置と第２のセカンダリ通信ノードとの間の第２の接続の構成を確認するモバイル装置からの第３のメッセージを受信する。方法２００は、２０８において、マスタ通信ノードにおいて、モバイル装置と第２のセカンダリ通信ノードとの間の第２の接続の失敗を示す第４のメッセージを受信することを含む。方法２００はさらに、２１０において、第１の接続から第２の接続への変更が不適切な変更であることを報告するために、マスタ通信ノードから第１のセカンダリ通信ノードへ第５のメッセージを送信することを含む。第５のメッセージは、第１のセカンダリ通信ノード及び第２のセカンダリ通信ノードを識別する情報を含む。
【００１６】
いくつかの実施形態では、方法２００は、マスタ通信ノードによって、モバイル装置と第２のセカンダリ通信ノードとの間の第２の接続から、モバイル装置と第３のセカンダリ通信ノードとの間の第３の接続に変更することを決定することを含む。ある実装では、第２の接続から第３の接続へ変更することを決定することは、マスタ通信ノードにおいて、第２のセカンダリ通信ノードからの第６のメッセージを受信することを含む。第６のメッセージは、第２の接続を第３の接続に変更することを要求し、第６のメッセージは、第３のセカンダリ通信ノードを識別する情報を含む。いくつかの実施形態では、第２の接続から第３の接続へ変更することを決定することは、第４のメッセージに含まれる測定結果に基づいて、マスタ通信ノードによって、第３の接続を確立するために使用される第３のセカンダリ通信ノードを識別することを含む。
【００１７】
いくつかの実施形態では、方法２００は、モバイル装置と第３のセカンダリ通信ノードとの間に第３の接続を確立するために、マスタ通信ノードから第７のメッセージを第３のセカンダリ通信ノードに送信することを含む。いくつかの実施形態では、マスタ通信ノードは、次のタイプの理由コードのうちの１つを使用して、第１の接続から第２の接続への不適切な変更を示す。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【００１８】
一部の実装では、マスタ通信ノードは、誤ったセカンダリノード変更の理由コードを用いて、第１の接続から第２の接続への不適切な変更を示し、マスタ通信ノードは、第１のセカンダリ通信ノードが第１の接続から第３の接続への変更を要求することを予測したことを示す。いくつかの実施形態では、理由コードは、事前に構成されたマッピング（例えば、様々な人間が読み取り可能な理由コードにマッピングされた２進数０００、００１、０１０など）に基づいて数字としてシグナリングされてもよい。
【００１９】
いくつかの実施形態では、第５のメッセージは、第１のセカンダリ通信ノードに１以上の閾値を調整させて、第２のセカンダリ通信ノードへの接続変更を減少させ、第３のセカンダリ通信ノードへの接続変更を増加させる。
【００２０】
図３Ａは、セカンダリ通信ノードにおいて実施され得るワイヤレス通信のための方法３００のフローチャート表現である。方法３００は、３０２において、第１のセカンダリ通信ノードから第１のメッセージをマスタ通信ノードに送信し、モバイル装置と第１のセカンダリ通信ノードとの間の第１の接続から、モバイル装置と第２のセカンダリ通信ノードとの間の第２の接続への変更を要求する。第１のメッセージは、第２のセカンダリ通信ノードを識別する情報を含む。方法３００は、３０４において、第１のセカンダリ通信ノードで、第１の接続から第２の接続への変更を確認する第２のメッセージをマスタ通信ノードから受信する。方法３００は、３０６において、第１のセカンダリ通信ノードにおいて、モバイル装置と第２のセカンダリ通信ノードとの間の第２の接続の失敗を示す第３のメッセージを受信することを含む。方法３００は、３０８において、第１の接続から第２の接続への変更が不適切な変更であるという決定に基づいて、第１のセカンダリ通信ノードによって、第２のセカンダリ通信ノードへの接続変更を低減するための１以上の閾値を調整することをさらに含む。
【００２１】
ある実施形態では、第３のメッセージは第２のセカンダリ通信ノードから受信され、第３のメッセージは、第１の接続から第２の接続への変更が不適切な変更であることを報告するための情報を含む。
【００２２】
いくつかの実施形態では、第３のメッセージは、マスタ通信ノードから受信される。本方法は、さらに、前記第１のセカンダリ通信ノードから、前記第１の閾値を調整する前に、前記モバイル装置と前記セカンダリ通信ノードとの間の前記第２の接続の失敗を示す第４のメッセージを前記第２のセカンダリ通信ノードに送信することと、前記第１のセカンダリ通信ノードにおいて、前記第１の接続から前記第２の接続への変更が不適切な変更であることを報告する第５のメッセージを受信することとを含む。
【００２３】
いくつかの実施形態では、不適切な変更の決定は、第２のセカンダリ通信ノードによって行われる。いくつかの実施形態では、不適切な変更の判定は、第１のメッセージ、第２のメッセージ、及び第３のメッセージに基づいて、第１のセカンダリ通信ノードによって行われる。
【００２４】
いくつかの実施形態において、第１の接続から第２の接続への不適切な変更は、以下のタイプの理由コードの１つを使用して示される。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【００２５】
いくつかの実施形態では、第３のメッセージは、モバイル装置と第１のセカンダリ通信ノードとの間に第３の接続を確立する要求を含む。第１の接続から第２の接続への不適切な変更は、早すぎるセカンダリノード変更「（Too Early Secondary Node Change reason code）を使用して示される。
【００２６】
いくつかの実施形態では、第３のメッセージは、モバイル装置と第３のセカンダリ通信ノードとの間の第３の接続を確立するために使用される第３のセカンダリ通信ノードを識別する。第１の接続から第２の接続への不適切な変更は、誤ったセカンダリノード変更理由コード（Wrong Secondary Node Change）を使用して示される。
【００２７】
図３Ｂは、セカンダリ通信ノードにおいて実施され得るワイヤレス通信のための方法３４０のフローチャート表現である。方法３４０は、３４２において、第１のセカンダリ通信ノードにおいて、モバイル装置と第１のセカンダリ通信ノードとの間の第１の接続の失敗を示す第１のメッセージを受信することを含む。方法３４０は、３４４において、第１のセカンダリ通信ノードから、第２のメッセージをマスタ通信ノードに送信し、モバイル装置と第１のセカンダリ通信ノードとの間の第１の接続から、モバイル装置と第２のセカンダリ通信ノードとの間の第２の接続への変更を要求する。第２のメッセージは、第２のセカンダリ通信ノードを識別する情報を含む。方法３４０は、３４６において、第１のセカンダリ通信ノードにおいて、モバイル装置と第２のセカンダリ通信ノードとの間の第２の接続の確立の成功を示す第３のメッセージをマスタ通信ノードから受信する。第３のメッセージは、第２のセカンダリ通信ノード及びモバイル装置を識別する情報を含む。方法３４０は、３４８において、第１の接続から第２の接続への変更が不適切な変更であるという決定に基づいて、第１のセカンダリ通信ノードによって、第２のセカンダリ通信ノードへの接続変更を増加させるための１以上の閾値を調整することをさらに含む。
【００２８】
いくつかの実施形態では、不適切な変更の決定は、第１のメッセージ、第２のメッセージ、及び第３のメッセージに基づいて行われる。ある実施形態では、第２のメッセージをマスタ通信ノードに送信することは、マスタ通信ノードから第１のメッセージを受信する前に実行される。いくつかの実施形態において、第１の接続から第２の接続への不適切な変更は、以下のタイプの理由コードの１つを使用して示される。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
一部の実装では、第１の接続から第２の接続への不適切な変更は、遅すぎるセカンダリノード変更（Too Late Secondary Node Change）の理由コードを使用して示される。
【００２９】
図３Ｃは、セカンダリ通信ノードにおいて実施され得るワイヤレス通信のための方法３６０のフローチャート表現である。方法３６０は、３６２において、第１のセカンダリ通信ノードから、第１のメッセージをマスタ通信ノードに送信して、モバイル装置と第１のセカンダリ通信ノードとの間の第１の接続から、モバイル装置と第２のセカンダリ通信ノードとの間の第２の接続への第１の変更を要求することを含む。第１のメッセージは、第２のセカンダリ通信ノードを識別する情報を含む。方法３６０は、３６４において、第１のセカンダリ通信ノードで、第１の接続から第２の接続への変更を確認する第２のメッセージをマスタ通信ノードから受信する。方法３６０は、３６６において、第１のセカンダリ通信ノードにおいて、モバイル装置と第２のセカンダリ通信ノードとの間の第２の接続からモバイル装置と第１のセカンダリ通信ノードとの間の第３の接続への第２の変更を要求するための第３のメッセージをマスタ通信ノードから受信する。方法は、３６８において、第１の変更又は第２の変更が不適切な変更であるという決定に基づいて、第１のセカンダリ通信ノードによって、第１のセカンダリ通信ノードと第２のセカンダリ通信ノードとの間の接続変更を低減又は増加させるための１以上の閾値を調整することをさらに含む。
【００３０】
いくつかの実施形態において、第１の接続から第２の接続への不適切な変更は、以下のタイプの理由コードの１つを使用して示される。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
例えば、第１の接続から第２の接続への不適切な変更は、ピンポンセカンダリノード変更の理由コードを使用して示される。
【００３１】
図４Ａは、本技術の１以上の実施形態による技法を適用することができるワイヤレス通信システム４００の例を示す。ワイヤレス通信システム４００は、１以上の基地局（ＢＳ）４０５ａ、４０５ｂと、１以上のワイヤレスデバイス４１０ａ、４１０ｂ、４１０ｃ、４１０ｄと、コアネットワーク４２５とを含むことができる。基地局４０５ａ、４０５ｂは、１以上のワイヤレスセクタ内のワイヤレスデバイス４１０ａ、４１０ｂ、４１０ｃ、及び４１０ｄにワイヤレスサービスを提供することができる。いくつかの実装形態では、基地局４０５ａ、４０５ｂは、異なるセクタにおいてワイヤレスカバレッジを提供するために２つ以上の指向性ビームを生成する指向性アンテナを含む。
【００３２】
コアネットワーク４２５は、１以上の基地局４０５ａ、４０５ｂと通信することができる。コアネットワーク４２５は、他のワイヤレス通信システム及び有線通信システムとの接続性を提供する。コアネットワークは、加入済ワイヤレス機器４１０ａ、４１０ｂ、４１０ｃ及び４１０ｄに関連する情報を記憶するための１以上のサービス加入データベースを含むことができる。第１の基地局４０５ａは、第１のワイヤレスアクセス技術に基づいてワイヤレスサービスを提供することができ、第２の基地局４０５ｂは、第２のワイヤレスアクセス技術に基づいてワイヤレスサービスを提供することができる。基地局４０５ａ及び４０５ｂは、配備シナリオに従って、同じ場所に配置されてもよく、又はフィールド内に別個にインストールされてもよい。ワイヤレスデバイス４１０ａ、４１０ｂ、４１０ｃ、及び４１０ｄは、複数の異なるワイヤレスアクセス技術をサポートすることができる。一部の実装では、ワイヤレス通信システムは、異なるワイヤレス技術を使用する複数のネットワークを含むことができる。デュアルモード又はマルチモードワイヤレスデバイスは、異なるワイヤレスネットワークに接続するために使用され得る２つ以上のワイヤレス技術を含む。
【００３３】
図４Ｂは、無線局の一部分を表すブロック図である。基地局又はワイヤレスデバイス（又はＵＥ）のような無線局４５５は、本明細書に提示されるワイヤレス技術のうちの１以上を実装するマイクロプロセッサのようなプロセッサエレクトロニクス４５０を含むことができる。無線局４５５は、アンテナ４７０などの１以上の通信インタフェースを介して無線信号を送信及び／又は受信するためのトランシーバ電子機器４６５を含むことができる。無線局４５５は、データを送受信するための他の通信インタフェースを含むことができる。無線局４５５は、データ及び／又は命令などの情報を記憶するように構成された１以上のメモリ（明示的には示されていない）を含むことができる。いくつかの実装形態では、プロセッサ電子機器４５０は、トランシーバ電子機器４６５の少なくとも一部を含むことができる。いくつかの実施形態では、開示された技法、モジュール、又は機能のうちの少なくともいくつかは、無線局４５５を使用して実装される。開示される技術の詳細は、以下の実施形態に記載される。
【００３４】
［実施形態１］
図５は、ＳＮ変更のための、ＵＥ、ＭＮ、及びセカンダリノード（例えば、ＳＮ１及びＳＮ２）の間の代表的なシグナリング手順を示す。
【００３５】
・ステップ１．１：  ＵＥはマスタノード及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、５０１で、ＳＮ変更を要求するメッセージ（例えば、ＳＮ変更要求）をＭＮに送信する。メッセージは、ＳＮ２によって提供されるＣｅｌｌ２を識別する情報を運ぶことができる。
・ステップ１．２：  ＭＮは、５０２において、ＳＮ２に向けて、セカンダリノードとしてＳＮ２をＵＥに追加する要求を行うメッセージ（ＳＮ追加要求など）をＳＮ２に送信する。メッセージはＣｅｌｌ２を識別する情報を運ぶことができる。
【００３６】
・ステップ１．３：  ＳＮ２は、５０３において、ＭＮにメッセージ（ＳＮ追加要求確認など）を送信し、ＳＮ２をセカンダリノードとして追加する要求を確認する。
・ステップ１．４：  ＭＮは、５０４において、ＵＥとＳＮ２との間の接続を再構成するため、メッセージ（例えば、ワイヤレスリソース制御（ＲＲＣ再構成）をＵＥに送信する。
・ステップ１．５：  ＵＥは、５０５において、再構成が完了したことを示すメッセージ（例えば、ＲＲＣ再構成完了）を送信する。
・ステップ１．６：  ＭＮは、５０６において、ＳＮ変更を確認するために、メッセージ（例えば、ＳＮ変更確認）をＳＮ１に送信する。
【００３７】
・ステップ１．７：  ＭＮは、５０７において、セカンダリノードの再構成が完了したことを示すメッセージ（ＳＮ再構成完了など）をＳＮ２に送信する。
・ステップ１．８：  ＵＥは、５０８において、ＳＮ２によって提供されるＣｅｌｌ２へのアクセスを獲得する。
・ステップ１．９：  ５０９において、無線リンク失敗（ＲＬＦ）がＣｅｌｌ２において発生する。
・ステップ１．１０：  ＵＥは、５１０において、失敗情報を示すメッセージ（例えば、ＳＮ失敗情報）をＭＮに送信する。情報は、ＲＬＦがＣｅｌｌ２内で発生したことを示すインジケータを含むことができる。情報はまた、ＵＥからのＣｅｌｌ１及びＣｅｌｌ２の両方についての測定結果を含み得る。
・ステップ１．１１：  ＭＮは、５１１において、メッセージ内の失敗情報（例えば、ＳＮ失敗情報）をＳＮ２に転送する。
【００３８】
・ステップ１．１２：  メッセージ（例えば、ＳＮ失敗情報）に基づいて、ＳＮ２は、ＲＬＦがＣｅｌｌ２において発生したことを決定する。いくつかの実施形態では、メッセージ内の測定結果に基づいて、ＳＮ２は、ＳＮ１によって提供されたＣｅｌｌ１がＵＥにとってより適切なセルであることを決定することができる。次に、ＳＮ２は、５１２において、ＳＮの変更を要求するメッセージ（例えば、ＳＮ変更要求）をＭＮに送信する。メッセージは、ＲＬＦが発生したセル（例えば、Ｃｅｌｌ２）を識別する情報を含むことができる。
・ステップ１．１３：  ＭＮは、５１３において、メッセージ（例えば、ＳＮ追加要求）をＳＮ１に送信する。メッセージは、ＳＮ１によって提供されたＣｅｌｌ１、及び／又はＲＬＦが発生したＣｅｌｌ２の両方を識別する情報を含むことができる。
【００３９】
・ステップ１．１４：  ＳＮ１は、ＳＮ１からＳＮ２へのＳＮ変更が成功したが、ＲＬＦがＳＮ２で直ちに発生したことを決定することができる。メッセージ内の情報（例えば、ＳＮ追加要求）に基づいて、ＳＮ１は、ＳＮ２へのＳＮ変更が早すぎた（早すぎたＳＮ変更としても知られている）と判定することができる。
・ステップ１．１５：  ＳＮ１は、早すぎるＳＮ変更、及び他のタイプの不適切なＳＮ変更などの不適切なＳＮ変更についての統計を蓄積することができる。次いで、ＳＮ１は、累積された統計に基づいてＳＮ２へのＳＮ変更をトリガするために、１以上の閾値を調整することができる。例えば、早すぎるＳＮ変更があまりに頻繁に起こる場合、調整された閾値は、ＳＮ１からＳＮ２へのＳＮ変更の数を減少させることができる。
【００４０】
［実施形態２］
図６は、ＳＮ変更のための、ＵＥと、ＭＮと、ＳＮ（例えば、ＳＮ１及びＳＮ２）との間の別の代表的なシグナリング手順を示す。
・ステップ２．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、６０１において、ＳＮ１は、ＳＮ変更（例えば、ＳＮ変更要求）を要求するメッセージをＭＮに送信する。メッセージは、ＳＮ２によって提供されるＣｅｌｌ２を識別する情報を運ぶことができる。
・ステップ２．２：  ＭＮは、６０２において、ＳＮ２をＵＥへのセカンダリノードとして追加することを要求するために、メッセージ（例えば、ＳＮ追加要求）をＳＮ２に送信する。メッセージはＣｅｌｌ２を識別する情報を運ぶことができる。
【００４１】
・ステップ２．３：  ＳＮ２は、６０３においてＭＮにメッセージ（ＳＮ追加要求確認など）を送信し、ＳＮ２をセカンダリノードとして追加する要求を確認する。
・ステップ２．４：  ＭＮは、６０４において、ＵＥとＳＮ２の間の接続を再構成するためのメッセージ(ＲＲＣ再構成など）をＵＥに送信する。
・ステップ２．５：  ＵＥは、６０５において、再構成が完了したことを示すメッセージ（例えば、ＲＲＣ再構成完了）を送信する。
【００４２】
・ステップ２．６：  ＭＮは、６０６において、ＳＮ変更を確認するために、メッセージ（例えば、ＳＮ変更確認）をＳＮ1に送信する。
・ステップ２．７：   ＭＮは、６０７において、セカンダリノードの再構成が完了したことを示すメッセージ(ＳＮ再構成完了など）をＳＮ２に送信する。
・ステップ２．８：  ＵＥは、６０８において、ＳＮ２内のＣｅｌｌ２にアクセスする。
・ステップ２．９：  ６０９において、無線リンク失敗（ＲＬＦ）がＣｅｌｌ２において発生する。
・ステップ２．１０：  ＵＥは、６１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【００４３】
・ステップ２．１１：  メッセージ（例えば、ＳＮ失敗情報）に基づいて、ＭＮは、ＲＬＦがＣｅｌｌ２において発生したことを判定する。いくつかの実施形態では、メッセージ内の測定結果に基づいて、ＭＮは、ＳＮ１によって提供されたＣｅｌｌ１がＵＥにとってより適切なセルであることを判定することができる。次に、ＭＮは、６１１において、ＳＮ１にメッセージ（例えば、ＳＮ変更要求）を送信して、ＳＮの変更を要求する。メッセージは、ＲＬＦが発生したセル（例えば、Ｃｅｌｌ２）を識別する情報を含むことができる。
【００４４】
・ステップ２．１２：  ＳＮ１は、６１２において、ＳＮ１からＳＮ２へのＳＮ変更が成功したが、ＲＬＦがＳＮ２においてすぐに発生したことを判定することができる。メッセージ内の情報（例えば、ＳＮ追加要求）に基づいて、ＳＮ１は、ＳＮ２へのＳＮ変更が早すぎた（早すぎるＳＮ変更（Too Early SN change）としても知られている）と判定することができる。
・ステップ２．１３：  ＳＮ１は、早すぎるＳＮ変更及び他のタイプの不適切なＳＮ変更などの不適切なＳＮ変更についての統計を蓄積することができる。次いで、ＳＮ１は、累積された統計に基づいてＳＮ２へのＳＮ変更をトリガするために、１以上の閾値を調整することができる。例えば、早すぎるＳＮ変更があまりに頻繁に起こる場合、調整された閾値は、ＳＮ１からＳＮ２へのＳＮ変更の数を減少させることができる。調整後、ＳＮ１からＳＮ２への接続変更は、ＳＮ１からＳＮ２への現在の周波数変更よりも低い周波数でトリガすることができる。
【００４５】
［実施形態３］
図７は、ＳＮ変更のための、ＵＥと、ＭＮと、ＳＮ（例えば、ＳＮ１及びＳＮ２）との間の別の代表的なシグナリング手順を示す。
【００４６】
・ステップ３．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、７０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
【００４７】
・ステップ３．２：  ７０２において、無線リンク失敗（ＲＬＦ）がＣｅｌｌ１で発生する。
・ステップ３．３：  ＵＥは、７０３において、失敗情報を示すメッセージ（例えば、ＳＮ失敗情報）をＭＮに送信する。情報は、ＲＬＦがＣｅｌｌ１内で発生したことを示すインジケータを含むことができる。この情報は、ＵＥからのＣｅｌｌ１の測定結果も含むことができる。
・ステップ３．４：  ＭＮは、７０４において、メッセージ内の失敗情報（例えば、ＳＮ失敗情報）をＳＮ１に転送する。
・ステップ３．５：  ＭＮは、７０５において、ＳＮ２をセカンダリノードとしてＵＥに追加する要求を行うメッセージ（ＳＮ追加要求など）をＳＮ２に送信する。メッセージは、Ｃｅｌｌ２を識別する情報を運ぶことができる。
【００４８】
・ステップ３．６：  ＳＮ２は、７０６において、ＳＮ２をセカンダリノードとして追加する要求を確認するために、メッセージ（例えば、ＳＮ追加要求確認）をＭＮに送信する。
・ステップ３．７：  ＭＮは、７０７において、ＵＥとＳＮ２の間の接続を再構成するためのメッセージ（ＲＲＣ再構成など）をＵＥに送信する。
・ステップ３．８：    ＵＥは、７０８において、再構成が完了したことを示すメッセージ（ＲＲＣ  再構成完了など）を送信する。
・ステップ３．９：  ＭＮは、７０９において、ＳＮの変更を確認するためにＳＮ１にメッセージ（ＳＮ変更確認など）を送信する。
・ステップ３．１０：ＭＮは、７１０において、メッセージ（例えば、ＳＮ再構成完了）をＳＮ２に送信して、セカンダリノードの再構成が完了したことを示す。
・ステップ３．１１：  ＵＥは、７１１において、Ｃｅｌｌ２へのアクセスを獲得する。
【００４９】
・ステップ３．１２：  ＳＮ２は、７１２において、メッセージ（例えば、アクセス成功表示）をＭＮに送信する。メッセージは、ＵＥがＳＮ２へのアクセスに成功したことを示す。メッセージは、ＵＥと、ＵＥがアクセスを獲得したセル（例えば、Ｃｅｌｌ２）とを識別する情報を含むことができる。
・ステップ３．１３：  ＭＮは、７１３において、メッセージ内の成功表示（例えば、アクセス成功表示）をＳＮ１に転送する。
・ステップ３．１４：  メッセージ（例えば、アクセス成功表示）に基づいて、ＳＮ１は、ＳＮ１からＳＮ変更要求が送信された直後にＲＬＦが発生したことを知る。ＳＮ２への新しい接続は、後に成功裏に確立された。次いで、ＳＮ１は、７１４において、ＳＮ２へのＳＮ変更が遅すぎた（Too Late SN Changeとしても知られている）ことを判定する。
【００５０】
・ステップ３．１５：  ＳＮ１は、遅すぎるＳＮ変更及び他のタイプの不適切なＳＮ変更のような不適切なＳＮ変更についての統計を蓄積することができる。次いで、ＳＮ１は、累積された統計に基づいてＳＮ２へのＳＮ変更をトリガするために、１以上の閾値を調整することができる。例えば、遅すぎるＳＮ変更があまりに頻繁に起こる場合、調整された閾値は、ＳＮ１からＳＮ２へのＳＮ変更の数を増加させることができる。
【００５１】
［実施形態４］
図８は、ＳＮ変更のための、ＵＥと、ＭＮと、ＳＮ（例えば、ＳＮ１及びＳＮ２）との間の別の代表的なシグナリング手順を示す。
【００５２】
・ステップ４．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。８０１において、無線リンク失敗（ＲＬＦ）がＣｅｌｌ１で発生する。
・ステップ４．２：  ＵＥは、８０２において、失敗情報を示すメッセージ（例えば、ＳＮ失敗情報）をＭＮに送信する。この情報は、ＲＬＦがＣｅｌｌ１で発生したことを示すインジケータを含むことができる。この情報は、ＵＥからのＣｅｌｌ１の測定結果も含むことができる。
・ステップ４．３：  ＭＮは、８０３において、メッセージ内の失敗情報（例えば、ＳＮ失敗情報）をＳＮ１に転送する。
【００５３】
・ステップ４．４：  ＳＮ１は、ＳＮ２がより適切なセル（例えば、Ｃｅｌｌ２）を提供することを見出す。したがって、ＳＮ１は、８０４において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ４．５：  ＭＮは、８０５において、ＳＮ２にセカンダリノードとしてＳＮ２を追加する要求を行うメッセージ（ＳＮ追加要求など）をＳＮ２に送信する。メッセージはＣｅｌｌ２を識別する情報を運ぶことができる。
・ステップ４．６：  ＳＮ２は、８０６においてＭＮにメッセージ（ＳＮ追加要求確認など）を送信し、ＳＮ２をセカンダリノードとして追加する要求を確認する。
【００５４】
・ステップ４．７：  ＭＮは、８０７において、ＵＥとＳＮ２の間の接続を再構成するためのメッセージ(ＲＲＣ再構成など）をＵＥに送信する。
・ステップ４．８：  UEは、８０８において、再構成が完了したことを示すメッセージ(ＲＲＣ再構成完了 など）を送信する。
【００５５】
・ステップ４．９：  ８０９において、ＭＮは、ＳＮ変更を確認するために、メッセージ（例えば、ＳＮ変更確認）をＳＮ１に送信する。
・ステップ４．１０：  ＭＮは、８１０において、メッセージ（例えば、ＳＮ再構成完了)をＳＮ２に送信して、セカンダリノードの再構成が完了したことを示す。
・ステップ４．１１：  ＵＥは、８１１において、Ｃｅｌｌ２へのアクセスを獲得する。
【００５６】
・ステップ４．１２：  ＳＮ２は、８１２において、メッセージ（例えば、アクセス成功指示）をＭＮに送信する。メッセージは、ＵＥがＳＮ２へのアクセスに成功したことを示す。メッセージは、ＵＥと、ＵＥがアクセスを獲得したセル（例えば、Ｃｅｌｌ２）とを識別する情報を含むことができる。
・ステップ４．１３：  ＭＮは、８１３において、メッセージ内の成功表示（例えば、アクセス成功表示）をＳＮ１に転送する。
・ステップ４．１４：  メッセージ（例えば、アクセス成功表示）に基づいて、ＳＮ１は、ＲＬＦが発生した直後にＳＮ１からＳＮ変更要求が送信されたことを知る。ＳＮ２への新しい接続は、後に成功裏に確立された。次に、ＳＮ１は、８１４において、ＳＮ２へのＳＮ変更が遅すぎた（Too Late SN Changeとしても知られている）ことを判定する。
【００５７】
・ステップ４．１５：  ＳＮ１は、遅すぎるＳＮ変更及び他のタイプの不適切なＳＮ変更のような不適切なＳＮ変更についての統計を蓄積することができる。次いで、ＳＮ１は、累積された統計に基づいてＳＮ２へのＳＮ変更をトリガするために、１以上の閾値を調整することができる。例えば、遅すぎるＳＮ変更があまりに頻繁に起こる場合、調整された閾値は、ＳＮ１からＳＮ２へのＳＮ変更の数を増加させることができる。調整後、ＳＮ１からＳＮ２への接続変更は、ＳＮ１からＳＮ２への現在の周波数変更よりも高い周波数でトリガすることができる。
【００５８】
［実施形態５］
図９は、ＳＮ変更のための、ＵＥと、ＭＮと、ＳＮ（例えば、ＳＮ１及びＳＮ２）との間の別の代表的なシグナリング手順を示す。
【００５９】
・ステップ５．１：ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、９０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ５．２：  ９０２において、ＭＮは、ＳＮ２をＵＥにセカンダリノードとして追加することを要求するために、ＳＮ２にメッセージ（例えば、ＳＮ追加要求）を送信する。メッセージはＣｅｌｌ２を識別する情報を運ぶことができる。
・ステップ５．３：  ＳＮ２は、９０３においてＭＮにメッセージ（ＳＮ追加要求確認など）を送信し、ＳＮ２をセカンダリノードとして追加する要求を確認する。
【００６０】
・ステップ５．４：  ＭＮは、９０４において、ＵＥとＳＮ２の間の接続を再構成するためのメッセージ(ＲＲＣ再構成など）をＵＥに送信する。
・ステップ５．５：  ＵＥは、９０５において、再構成が完了したことを示すメッセージ（例えば、ＲＲＣ再構成完了）を送信する。
・ステップ５．６：  ９０６において、ＭＮは、ＳＮ変更を確認するために、ＳＮ１にメッセージ（例えば、ＳＮ変更確認）を送信する。
・ステップ５．７：ＭＮは、９０７において、セカンダリノードの再構成が完了したことを示すメッセージ（ＳＮ再構成完了など）をＳＮ２に送信する。
【００６１】
・ステップ５．８：  ＵＥは、ここで、９０８において、Ｃｅｌｌ２へのアクセスを獲得する。
・ステップ５．９：  無線リンク失敗（ＲＬＦ）がＣｅｌｌ２において９０９において発生する。
・ステップ５．１０：  ＵＥは、９１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【００６２】
・ステップ５．１１：  ＭＮは、９１１において、メッセージ中の失敗情報（例えば、ＳＮ失敗情報）をＳＮ２に転送する。
・ステップ５．１２：  メッセージ（例えば、ＳＮ失敗情報）に基づいて、ＳＮ２は、ＲＬＦがＣｅｌｌ２において発生したことを判定する。いくつかの実施形態では、メッセージ内の測定結果に基づいて、ＳＮ２は、ＳＮ３によって提供されたＣｅｌｌ３がＵＥにとってより適切なセルであることを判定することができる。次に、ＳＮ２は、９１２において、ＳＮの変更を要求するメッセージ（例えば、ＳＮ変更要求（SN Change Required）)をMNに送信する。メッセージは、Ｃｅｌｌ３を識別する情報を含むことができる。
【００６３】
・ステップ５．１３：  ＭＮは、ＳＮ１からＳＮ２へのＳＮ変更が成功したが、ＲＬＦがＳＮ２で直ちに発生したと判定する。ＭＮはさらに、ＳＮ３によって提供されるセル３へのＳＮの変更がより適切であることを通知される。したがって、９１３において、ＭＮは、ＳＮ２へのＳＮ変更が誤ったＳＮ変更であったことを判定することができる。
【００６４】
・ステップ５．１４：  ９１４において、ＭＮは、ＳＮの変更を報告するために、ＳＮ１にメッセージ（例えば、ＳＮ変更報告）を送信する。メッセージは、ソースセル（例えば、Ｃｅｌｌ１）、ＲＬＦが発生したセル（例えば、Ｃｅｌｌ２）、及びターゲットセル（例えば、Ｃｅｌｌ３）を識別する情報を搬送することができる。いくつかの実施形態では、メッセージは、ＲＬＦに関する情報を搬送することができる。いくつかの実装では、メッセージはＳＮ変更（例えば、ＳＮ１からＳＮ２への変更）が不適切であったことを示すことができる。例えば、不適切なＳＮ変更は、早すぎるＳＮ変更、遅すぎるＳＮ変更、又は誤ったＳＮ変更であり得る。
【００６５】
・ステップ５．１５：  ＳＮ１は、誤ったＳＮ変更及び他のタイプの不適切なＳＮ変更などの不適切なＳＮ変更についての統計を蓄積することができる。次いで、ＳＮ１は、累積された統計に基づいて、ＳＮ２及び／又はＳＮ３へのＳＮ変更をトリガするために、１以上の閾値を調整することができる。例えば、ＳＮ１からＳＮ２への誤ったＳＮ変更があまりに頻繁に起こり、その後にＳＮ３へのＳＮ変更が続く場合、閾値は、ＳＮ１からＳＮ２へのＳＮ変更の数を減少させるために、及び／又はＳＮ１からＳＮ３へのＳＮ変更の数を増加させるために、調整され得る。
【００６６】
［実施形態６］
図１０は、ＳＮ変更のための、ＵＥと、ＭＮと、ＳＮ（例えば、ＳＮ１及びＳＮ２）との間の別の代表的なシグナリング手順を示す。
【００６７】
・ステップ６．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１００１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ６．２：  ＭＮは、１００２において、ＵＥにセカンダリノードとしてＳＮ２を追加する要求を行うメッセージ（ＳＮ追加要求など）をＳＮ２に送信する。メッセージはＣｅｌｌ２を識別する情報を運ぶことができる。
【００６８】
・ステップ６．３：  ＳＮ２は、１００３においてＭＮにメッセージ（ＳＮ追加要求確認など）を送信し、ＳＮ２をセカンダリノードとして追加する要求を確認する。
・ステップ６．４：  ＭＮは、１００４において、ＵＥとＳＮ２の間の接続を再構成するためのメッセージ（ＲＲＣ再構成など）をＵＥに送信する。
【００６９】
・ステップ６．５：  ＵＥは、１００５において、再構成が完了したことを示すメッセージ（例えば、ＲＲＣ再構成完了）を送信する。
・ステップ６．６：  ＭＮは、１００６において、ＳＮ変更を確認するために、メッセージ（例えば、ＳＮ変更確認）をＳＮ１に送信する。
・ステップ６．７：  ＭＮは、１００７において、セカンダリノードの再構成が完了したことを示すメッセージ(ＳＮ再構成完了 など）をＳＮ２に送信する。
【００７０】
・ステップ６．８：  ＵＥは、１００８において、Ｃｅｌｌ２へのアクセスを獲得する。
・ステップ６．９：  無線リンク失敗（ＲＬＦ）がＣｅｌｌ２において１００９で発生する。
・ステップ６．１０：  ＵＥは、１０１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【００７１】
・ステップ６．１１：  メッセージ（例えば、ＳＮ失敗情報）に基づいて、ＭＮは、ＲＬＦがＣｅｌｌ２において発生したことを判定する。いくつかの実施形態では、メッセージ内の測定結果に基づいて、ＭＮは、１０１１において、ＳＮ３によって提供されるＣｅｌｌ３がＵＥにとってより適切なセルであることを判定することができる。
・ステップ６．１２：  ＭＮは、１０１２において、報告（例えば、ＳＮ変更報告）をＳＮ１に送信する。メッセージは、ソースセル（例えば、Ｃｅｌｌ１）、ＲＬＦが発生したセル（例えば、Ｃｅｌｌ２）、及びターゲットセル（例えば、Ｃｅｌｌ３）を識別する情報を含むことができる。メッセージはまた、ＳＮ変更（例えば、ＳＮ１からＳＮ２への変更）が不適切であったことを示す情報を含むことができる。例えば、不適切なＳＮ変更は、早すぎるＳＮ変更、遅すぎるＳＮ変更、又は誤ったＳＮ変更であり得る。
【００７２】
・ステップ６．１３：  ＭＮからの報告（例えば、ＳＮ変更報告）に基づいて、ＳＮ１は、誤ったＳＮ変更及び他のタイプの不適切なＳＮ変更などの不適切なＳＮ変更に関する統計を蓄積することができる。次いで、ＳＮ１は、累積された統計に基づいて、ＳＮ２及び／又はＳＮ３へのＳＮ変更をトリガするために、１以上の閾値を調整することができる。例えば、ＳＮ１からＳＮ２への誤ったＳＮ変更があまりに頻繁に起こり、その後にＳＮ３へのＳＮ変更が続く場合、閾値は、ＳＮ１からＳＮ２へのＳＮ変更の数を減少させるために、及び／又はＳＮ１からＳＮ３へのＳＮ変更の数を増加させるために、調整され得る。調整後、ＳＮ１からＳＮ２への接続変更は、ＳＮ１からＳＮ２への現在の周波数の変更よりも低い周波数でトリガすることができ、一方、ＳＮ１からＳＮ３への接続変更は、ＳＮ１からＳＮ３への現在の周波数の変更よりも高い周波数でトリガすることができる。
【００７３】
［実施形態７］
図１１は、ＳＮ変更のための、ＵＥと、ＭＮと、ＳＮ（例えば、ＳＮ１及びＳＮ２）との間の別の代表的なシグナリング手順を示す。
【００７４】
・ステップ７．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１１０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ７．２：  ＭＮは、１１０２において、ＵＥにセカンダリノードとしてＳＮ２を追加する要求を行うメッセージ（ＳＮ追加要求など）をＳＮ２に送信する。メッセージは、ＳＮ２によって提供されるＣｅｌｌ２を識別する情報を運ぶことができる。
・ステップ７．３：  ＳＮ２は、１１０３において、ＭＮにメッセージ（ＳＮ追加要求確認など）を送信して、ＳＮ２をセカンダリ通信ノードとして追加する要求を確認する。
【００７５】
・ステップ７．４：  ＭＮは、１１０４においてＵＥにメッセージ（ＲＲＣ再構成など）を送信して、ＵＥとＳＮ２の間の接続を再構成する。
・ステップ７．５：  ＵＥは、１１０５において、再構成が完了したことを示すメッセージ（例えば、ＲＲＣ再構成完了）を送信する。
・ステップ７．６：  ＭＮは、１１０６において、ＳＮ１にメッセージ（ＳＮ変更確認など）を送信して、ＳＮ変更を確認する。
【００７６】
・ステップ７．７：  ＭＮは、１１０７において、セカンダリノードの再構成が完了したことを示すメッセージ（ＳＮ再構成完了など）をＳＮ２に送信する。
・ステップ７．８：  ＵＥは、１１０８において、Ｃｅｌｌ２にアクセスするときの失敗に出くわす。
・ステップ７．９：  ＵＥは、１１０９において、失敗情報を示すメッセージ（例えば、ＳＮ失敗情報）をＭＮに送信する。情報は、ＵＥがＣｅｌｌ２にアクセスしようとしたときにＲＬＦが発生したことを示すインジケータを含んでもよい。情報は、ＵＥからの両方のＣｅｌｌ１についての測定結果を含むこともできる。
【００７７】
・ステップ７．１０：  ＭＮは、１１１０において、メッセージ内の失敗情報（例えば、ＳＮ失敗情報）をＳＮ１に転送する。
・ステップ７．１１：  ＭＮは、１１１０において、メッセージ内の失敗情報（例えば、ＳＮ失敗情報）をＳＮ２に転送する。
・ステップ７．１２：  メッセージ（例えば、ＳＮ失敗情報）に基づいて、ＳＮ１は、ＵＥがＣｅｌｌ２にアクセスしようとしたときに失敗が発生したと判定する。いくつかの実施形態では、メッセージ内の測定結果に基づいて、ＳＮ１は、ＳＮ３によって提供されたＣｅｌｌ３がＵＥにとってより適切なセルであることを判定することができる。
【００７８】
次に、１１１２において、ＳＮ１は、ＳＮ２へのＳＮ変更が誤ったＳＮ変更であったと判定する。ＳＮ１は、誤ったＳＮ変更のような不適切なＳＮ変更についての統計を蓄積することができる。次いで、ＳＮ１は、累積された統計に基づいて、ＳＮ２へのＳＮ変更、ならびにＳＮ３へのＳＮ変更をトリガするために、１以上の閾値を調整することができる。例えば、ＳＮ１からＳＮ２への誤ったＳＮ変更があまりに頻繁に起こる場合、調整された閾値は、ＳＮ１からＳＮ２への不適切なＳＮ変更の数を減少させることができる。一方、ＳＮ１からＳＮ３へのＳＮ変更は、より頻繁に起こるように調整することができる。
【００７９】
［実施形態８］
図１２は、ＳＮ変更のための、ＵＥと、ＭＮと、ＳＮ（例えば、ＳＮ１及びＳＮ２）との間の別の代表的なシグナリング手順を示す。
【００８０】
・ステップ８．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１２０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ８．２：  ＭＮは、１２０２において、ＵＥにセカンダリノードとしてＳＮ２を追加する要求を行うメッセージ（ＳＮ追加要求など）をＳＮ２に送信する。メッセージは、ＳＮ２によって提供されるＣｅｌｌ２を識別する情報を運ぶことができる。
・ステップ８．３：  ＳＮ２は、１２０３において、ＭＮにメッセージ（ＳＮ追加要求確認など）を送信して、ＳＮ２をセカンダリ通信ノードとして追加する要求を確認する。
【００８１】
・ステップ８．４：  ＭＮは、１２０４において、ＵＥにメッセージ（ＲＲＣ再構成など）を送信して、ＵＥとＳＮ２の間の接続を再構成する。
・ステップ８．５：  ＵＥは、１２０５において、再構成が完了したことを示すメッセージ（例えば、ＲＲＣ再構成完了）を送信する。
・ステップ８．６：  ＭＮは、１２０６において、ＳＮ変更を確認するために、メッセージ（例えば、ＳＮ変更確認）をＳＮ１に送信する。
【００８２】
・ステップ８．７：  ＭＮは、１２０７において、セカンダリノードの再構成が完了したことを示すメッセージ（ＳＮ再構成完了など）をＳＮ２に送信する。
・ステップ８．８：  ＵＥは、１２０８において、Ｃｅｌｌ２へのアクセスを獲得する。
・ステップ８．９：  無線リンク失敗（ＲＬＦ）がＣｅｌｌ２において１２０９で発生する。
・ステップ８．１０：  ＵＥは、１２１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【００８３】
・ステップ８．１１：  メッセージ（例えば、ＳＮ失敗情報）に基づいて、ＭＮは、ＲＬＦがＣｅｌｌ２において発生したことを判定する。いくつかの実施形態では、メッセージ内の測定結果に基づいて、ＭＮは、ＳＮ１によって提供されたＣｅｌｌ１がＵＥにとってより適切なセルであることを判定することができる。いくつかの実施形態では、メッセージ内の測定結果に基づいて、ＭＮは、ＳＮ３が提供されたＣｅｌｌ３がＵＥにとってより適切なセルであると判定する。次に、１２１１において、ＭＮは、ＲＬＦが発生したＣｅｌｌ２と、より適切なセル（例えば、Ｃｅｌｌ１又はＣｅｌｌ３）とを示すメッセージ（例えば、ＳＮ失敗指示）をＳＮ２に送信する。
【００８４】
・ステップ８．１２：  ＳＮ２がＭＮからメッセージを受信した後、ＳＮ２は、１２１２において、不適切なＳＮ変更が発生したかどうかを判定する。例えば、いくつかの実施形態において、より適切なＳＮは、ＳＮ１である。ＳＮ２は、ＳＮ１からＳＮ２へのＳＮ変更が成功したが、ＲＬＦがＳＮ２で直ちに発生し、接続をＳＮ１に戻すことが望ましいことを知っている。したがって、ＳＮ２は、ＳＮ１からＳＮ２へのＳＮ変更が早すぎた（例えば、早すぎたＳＮ変更）と判定することができる。
【００８５】
いくつかの実施形態において、より適切なＳＮは、ＳＮ３である。ＳＮ２は、ＳＮ１からＳＮ２へのＳＮ変更が成功したことを知っているが、ＲＬＦがＳＮ２で直ちに発生し、ＳＮ３とは異なるＳＮに切り替えることが望ましい。したがって、ＳＮ２は、ＳＮ１からＳＮ２へのＳＮ変更が誤ったＳＮ変更であったことを判定することができる。
【００８６】
・ステップ８．１３：  ＳＮ１とＳＮ２との間に直接インタフェースが存在する場合、ＳＮ２は、１２１３において、ＳＮの変更を報告するためにＳＮ１にメッセージ（例えば、ＳＮ変更報告）を送信する。メッセージは、ＳＮ変更（例えば、ＳＮ１からＳＮ２への変更）が不適切であったことを示すことができる。例えば、不適切なＳＮ変更は、早すぎるＳＮ変更又は誤ったＳＮ変更であり得る。
【００８７】
・ステップ８．１４：  ＳＮ１とＳＮ２との間に直接インタフェースがない場合、ＳＮ２は、１２１４において、最初に、ＳＮの変更を報告するメッセージ（例えば、ＳＮ変更報告）をＭＮに送信する。次に、１２１５において、ＭＮは、メッセージ（例えば、ＳＮ変更報告）をＳＮ１に転送する。メッセージは、ＳＮ変更（例えば、ＳＮ１からＳＮ２への変更）が不適切であったことを示すことができる。例えば、不適切なＳＮ変更は、早すぎるＳＮ変更又は誤ったＳＮ変更であり得る。
【００８８】
・ステップ８．１５：  ＳＮ１は、誤ったＳＮ変更及び他のタイプの不適切なＳＮ変更などの不適切なＳＮ変更についての統計を蓄積することができる。次いで、ＳＮ１は、累積された統計に基づいて、ＳＮ２及び／又はＳＮ３へのＳＮ変更をトリガするために、１以上の閾値を調整することができる。例えば、早すぎるＳＮ変更があまりに頻繁に起こる場合、調整された閾値は、ＳＮ１からＳＮ２へのＳＮ変更の数を減少させることができる。調整後、ＳＮ１からＳＮ２への接続変更は、ＳＮ１からＳＮ２への現在の周波数変更よりも低い周波数でトリガすることができる。別の例として、ＳＮ１からＳＮ２への誤ったＳＮ変更があまりに頻繁に起こり、その後にＳＮ３へのＳＮ変更が続く場合、閾値は、ＳＮ１からＳＮ２へのＳＮ変更の数を減少させるように、及び／又はＳＮ１からＳＮ３へのＳＮ変更の数を増加させるように調整され得る。
【００８９】
［実施形態９］
図１３は、ＳＮ変更のための、ＵＥと、ＭＮと、ＳＮ（例えば、ＳＮ１及びＳＮ２）との間の別の代表的なシグナリング手順を示す。
【００９０】
・ステップ９．１：  ＵＥはマスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１３０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ９．２：  ＭＮは、１３０２において、ＵＥにセカンダリノードとしてＳＮ２を追加する要求を行うメッセージ（ＳＮ追加要求など）をＳＮ２に送信する。メッセージは、ＳＮ２によって提供されるＣｅｌｌ２を識別する情報を運ぶことができる。
【００９１】
・ステップ９．３：  ＳＮ２は、１３０３においてＭＮにメッセージ（ＳＮ追加要求確認など）を送信し、ＳＮ２をセカンダリ通信ノードとして追加する要求を確認する。
・ステップ９．４：  ＭＮは、１３０４においてＵＥにメッセージ（ＲＲＣ再構成など）を送信して、ＵＥとＳＮ２の間の接続を再構成する。
・ステップ９．５：  ＵＥは、１３０５において、再構成が完了したことを示すメッセージ（例えば、ＲＲＣ再構成完了）を送信する。
【００９２】
・ステップ９．６：  ＭＮは、１３０６において、ＳＮ変更を確認するために、メッセージ（例えば、ＳＮ変更確認）をＳＮ１に送信する。
・ステップ９．７：ＭＮは、１３０７において、セカンダリノードの再構成が完了したことを示すメッセージ（SN再構成完了など）をＳＮ２に送信する。
・ステップ９．８：  ＵＥは、ここで、１３０８において、Ｃｅｌｌ２へのアクセスを獲得する。
・ステップ９．９：  無線リンク失敗（ＲＬＦ）が、１３０９において、Ｃｅｌｌ２において発生する。
【００９３】
・ステップ９．１０：  ＵＥは、１３１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【００９４】
・ステップ９．１１：  メッセージ（例えば、ＳＮ失敗情報）に基づいて、ＭＮは、ＲＬＦがＣｅｌｌ２において発生したことを判定する。いくつかの実施形態では、メッセージ内の測定結果に基づいて、ＭＮは、ＳＮ１によって提供されたＣｅｌｌ１がＵＥにとってより適切なセルであることを判定することができる。次に、１３１１において、ＭＮは、失敗情報（例えば、ＳＮ失敗情報）をより適切なＳＮ１に転送する。
・ステップ９．１２：  ＳＮ１は、１３１２において、メッセージ（例えば、ＳＮ失敗指示）をＳＮ２に送信する。メッセージは、ＲＬＦが発生したＳＮ（例えば、ＳＮ２）、及びＵＥが接続を確立するためのより適切なＳＮ（例えば、ＳＮ１）などの情報を含む。
【００９５】
・ステップ９．１３：  ＳＮ２がＭＮからメッセージを受信した後、ＳＮ２は、１３１３において、不適切なＳＮ変更が発生したかどうかを判定する。例えば、いくつかの実施形態において、より適切なＳＮは、ＳＮ１である。ＳＮ２は、ＳＮ１からＳＮ２へのＳＮ変更が成功したが、ＲＬＦがＳＮ２で直ちに発生し、接続をＳＮ１に戻すことが望ましいことを知っている。したがって、ＳＮ２は、ＳＮ１からＳＮ２へのＳＮ変更が早すぎた（例えば、早すぎたＳＮ変更）と判定することができる。
【００９６】
・ステップ９．１４：  ＳＮ１とＳＮ２との間に直接インタフェースが存在する場合、ＳＮ２は、１３１４において、ＳＮの変更を報告するためにＳＮ１にメッセージ（例えば、ＳＮ変更報告）を送信する。メッセージは、ＳＮ変更（例えば、ＳＮ１からＳＮ２への変更）が不適切であったことを示すことができる。例えば、不適切なＳＮ変更は、早すぎるＳＮ変更であり得る。
【００９７】
・ステップ９．１５：  ＳＮ１とＳＮ２との間に直接インタフェースがない場合、ＳＮ２は、最初に、１３１５において、メッセージ（例えば、ＳＮ変更報告）をＭＮに送信して、ＳＮの変更を報告する。次に、ＭＮは、１３１６において、メッセージ（例えば、ＳＮ変更報告）をＳＮ１に転送する。メッセージは、ＳＮ変更（例えば、ＳＮ１からＳＮ２への変更）が不適切であったことを示すことができる。例えば、不適切なＳＮ変更は、早すぎるＳＮ変更であり得る。
【００９８】
・ステップ９．１６：  ＳＮ１は、早すぎるＳＮ変更及び他のタイプの不適切なＳＮ変更などの不適切なＳＮ変更についての統計を蓄積することができる。次いで、ＳＮ１は、累積された統計に基づいてＳＮ２へのＳＮ変更をトリガするために、１以上の閾値を調整することができる。例えば、早すぎるＳＮ変更があまりに頻繁に起こる場合、調整された閾値は、ＳＮ１からＳＮ２へのＳＮ変更の数を減少させることができる。調整後、ＳＮ１からＳＮ２への接続変更は、ＳＮ１からＳＮ２への現在の周波数変更よりも低い周波数でトリガすることができる。
【００９９】
［実施形態１０］
図１４は、ＳＮ変更のための、ＵＥと、ＭＮと、ＳＮ（例えば、ＳＮ１及びＳＮ２）との間の別の代表的なシグナリング手順を示す。
【０１００】
・ステップ１０．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１４０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
【０１０１】
・ステップ１０．２：  ＭＮは、１４０２において、ＵＥへＳＮ２をセカンダリノードとして追加することを要求するために、メッセージ（例えば、ＳＮ追加要求）をＳＮ２に送信する。メッセージは、ＳＮ２によって提供されるＣｅｌｌ２を識別する情報を運ぶことができる。
【０１０２】
・ステップ１０．３：  ＳＮ２は、１４０３において、セカンダリ通信ノードとしてＳＮ２を追加する要求を確認するためのメッセージ（例えば、ＳＮ追加要求確認）をＭＮに送信する。
・ステップ１０．４：  ＭＮは、１４０４において、ＵＥとＳＮ２との間の接続を再構成するためのメッセージ（例えば、ＲＲＣ再構成）をＵＥに送信する。
【０１０３】
・ステップ１０．５：  ＵＥは、１４０５において、再構成が完了したことを示すメッセージ（例えば、ＲＲＣ再構成完了）を送信する。
・ステップ１０．６：  ＭＮは、１４０６において、ＳＮ変更を確認するためのメッセージ（例えば、ＳＮ変更確認）をＳＮ１に送信する。
・ステップ１０．７：  ＭＮは、１４０７において、メッセージ（例えば、ＳＮ再構成完了）をＳＮ２に送信して、セカンダリノードの再構成が完了したことを示す。
【０１０４】
・ステップ１０．８：  ＵＥは、ここで、１４０８において、Ｃｅｌｌ２へのアクセスを獲得する。
・ステップ１０．９：  無線リンク失敗（ＲＬＦ）が、１４０９において、Ｃｅｌｌ２において発生する。
・ステップ１０．１０：  ＵＥは、１４１０において、失敗情報を示すメッセージ（例えば、ＳＮ失敗情報）をＭＮに送信する。この情報は、ＲＬＦがＣｅｌｌ２で発生したことを示すインジケータを含むことができる。情報はまた、ＵＥからのＣｅｌｌ１及びＣｅｌｌ２の両方についての測定結果を含み得る。
【０１０５】
・ステップ１０．１１：  メッセージ（例えば、ＳＮ失敗情報）に基づいて、ＭＮは、ＲＬＦがＣｅｌｌ２において発生したことを判定する。いくつかの実施形態では、メッセージ内の測定結果に基づいて、ＭＮは、ＳＮ３が提供されたＣｅｌｌ３がＵＥにとってより適切なセルであると判定する。次いで、１４１１において、ＭＮは、失敗情報（例えば、ＳＮ失敗情報）をＳＮ３に転送する。
・ステップ１０．１２：  ＳＮ３は、ＭＮから受信した失敗情報に基づいて、１４１２において、ＲＬＦが発生したＣｅｌｌ２、及びより適切なＣｅｌｌ（例えば、Ｃｅｌｌ３）を示すメッセージ（例えば、ＳＮ失敗指示）をＳＮ２に送信する。
【０１０６】
・ステップ１０．１３：  ＳＮ２がＳＮ３からメッセージを受信した後、ＳＮ２は、１４１３において、不適切なＳＮ変更が発生したかどうかを判定する。例えば、いくつかの実施形態において、ＳＮ３は、より適切なＳＮである。ＳＮ２は、ＳＮ１からＳＮ２へのＳＮ変更が成功したことを知っているが、ＲＬＦがＳＮ２で直ちに発生し、異なるＳＮ（ＳＮ３）に切り替えることが望ましい。したがって、ＳＮ２は、ＳＮ１からＳＮ２へのＳＮ変更が誤ったＳＮ変更であったことを判定することができる。
【０１０７】
・ステップ１０．１４：  ＳＮ１とＳＮ２の間に直接インタフェースが存在する場合、ＳＮ２は１４１４においてＳＮ１にメッセージ（ＳＮ変更報告など）を送信してＳＮの変更を報告する。メッセージは、ＳＮ変更（例えば、ＳＮ１からＳＮ２への変更）が不適切であったことを示すことができる。例えば、不適切なＳＮ変更は、誤ったＳＮ変更であり得る。
【０１０８】
・ステップ１０．１５：  ＳＮ１とＳＮ２との間に直接インタフェースがない場合、ＳＮ２は、最初に、１４１５において、メッセージ（例えば、ＳＮ変更報告）をＭＮに送信して、ＳＮの変更を報告する。次に、ＭＮは、１４１６において、メッセージ（例えば、ＳＮ変更報告）をＳＮ１に転送する。メッセージは、ＳＮ変更（例えば、ＳＮ１からＳＮ２への変更）が不適切であったことを示すことができる。例えば、不適切なＳＮ変更は、誤ったＳＮ変更であり得る。
【０１０９】
・ステップ１０．１６：  ＳＮ１は、誤ったＳＮ変更及び他のタイプの不適切なＳＮ変更などの不適切なＳＮ変更についての統計を蓄積することができる。次いで、ＳＮ１は、累積された統計に基づいて、ＳＮ２及び／又はＳＮ３へのＳＮ変更をトリガするために、１以上の閾値を調整することができる。例えば、ＳＮ１からＳＮ２への誤ったＳＮ変更があまりに頻繁に起こり、その後にＳＮ３へのＳＮ変更が続く場合、閾値は、ＳＮ１からＳＮ２へのＳＮ変更の数を減少させるために、及び／又はＳＮ１からＳＮ３へのＳＮ変更の数を増加させるために、調整され得る。
【０１１０】
［実施形態１１］
図１５は、ＳＮ変更のための、ＵＥと、ＭＮと、ＳＮ（例えば、ＳＮ１及びＳＮ２）との間の別の代表的なシグナリング手順を示す。
【０１１１】
・ステップ１１．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。無線リンク失敗（ＲＬＦ）は、Ｃｅｌｌ１において１５０１で発生する。
・ステップ１１．２：  ＵＥは、１５０２において、失敗情報を示すメッセージ（例えば、ＳＮ失敗情報）をＭＮに送信する。この情報は、ＲＬＦがＣｅｌｌ１で発生したことを示すインジケータを含むことができる。この情報は、ＵＥからのＣｅｌｌ１の測定結果も含むことができる。
・ステップ１１．３：  ＵＥから受信された失敗情報（例えば、ＳＮ失敗情報）に基づいて、１５０３において、ＭＮは、メッセージ（例えば、ＳＮ失敗指示）をＳＮ１に送信する。メッセージは、ＲＬＦが発生したＳＮ（例えば、ＳＮ１）及び新しい接続のためのより適切なＳＮ（例えば、ＳＮ２）のような情報を含む。
【０１１２】
・ステップ１１．４：  ＳＮ１は、ＳＮ２がより適切なセル（例えば、Ｃｅｌｌ２）を提供することを見出す。したがって、ＳＮ１は、１５０４において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ１１．５：  ＭＮは、１５０５において、セカンダリノードとしてＳＮ２をＵＥに追加するように要求するためのメッセージ（例えば、ＳＮ追加要求）をＳＮ２に送信する。メッセージはＣｅｌｌ２を識別する情報を運ぶことができる。
・ステップ１１．６：  ＳＮ２は、１５０６において、セカンダリノードとしてＳＮ２を追加する要求を確認するためのメッセージ（例えば、ＳＮ追加要求確認）をＭＮに送信する。
【０１１３】
・ステップ１１．７：  ＭＮは、１５０７において、ＵＥとＳＮ２との間の接続を再構成するためのメッセージ（例えば、ＲＲＣ再構成）をＵＥに送信する。
・ステップ１１．８：  ＵＥは、１５０８において、再構成が完了したことを示すメッセージ（例えば、ＲＲＣ再構成完了）を送信する。
・ステップ１１．９：  ＭＮは、１５０９において、ＳＮ変更を確認するためのメッセージ（例えば、SN変更確認）をＳＮ１に送信する。
【０１１４】
・ステップ１１．１０：  ＭＮは、１５１０において、メッセージ（例えば、ＳＮ再構成完了）をＳＮ２に送信して、セカンダリノードの再構成が完了したことを示す。
・ステップ１１．１１：  ＵＥは、１５１１において、Ｃｅｌｌ２へのアクセスを獲得する。
・ステップ１１．１２：  以前にＭＮから受信されたメッセージ（例えば、ＳＮ失敗指示）に基づいて、ＳＮ１は、ＳＮ変更要求が送信される前にＲＬＦが発生したことを知る。ＳＮ２への新しい接続は、後に成功裏に確立された。次いで、ＳＮ１は、１５１２において、ＳＮ２へのＳＮ変更が遅すぎた（遅すぎたＳＮ変更としても知られている）ことを判定する。
【０１１５】
・ステップ１１．１３：  ＳＮ１は、遅すぎるＳＮ変更及び他のタイプの不適切なＳＮ変更のような不適切なＳＮ変更についての統計を蓄積することができる。次いで、ＳＮ１は、累積された統計に基づいてＳＮ２へのＳＮ変更をトリガするために、１以上の閾値を調整することができる。例えば、遅すぎるＳＮ変更があまりに頻繁に起こる場合、調整された閾値は、ＳＮ１からＳＮ２へのＳＮ変更の数を増加させることができる。
【０１１６】
［実施形態１２］
図１６は、ＳＮ変更のための、ＵＥと、ＭＮと、ＳＮ（例えば、ＳＮ１及びＳＮ２）との間の別の代表的なシグナリング手順を示す。
【０１１７】
・ステップ１２．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。１６０１で、無線リンク失敗（ＲＬＦ）がＣｅｌｌ１で発生する。
・ステップ１２．２：  ＵＥは、１６０２において、失敗情報を示すメッセージ（例えば、ＳＮ失敗情報）をＭＮに送信する。この情報は、ＲＬＦがＣｅｌｌ１で発生したことを示すインジケータを含むことができる。この情報は、ＵＥからのＣｅｌｌ１の測定結果も含むことができる。
・ステップ１２．３：  ＭＮは、１６０３において、失敗情報（例えば、ＳＮ失敗情報）をＳＮ２に転送する。
【０１１８】
・ステップ１２．４：  １６０４において、ＳＮ２は、ＭＮから受信した失敗情報（例えば、ＳＮ失敗情報）に基づいて、メッセージ（例えば、ＳＮ失敗指示）をＳＮ１に送信する。メッセージは、ＲＬＦが発生したＳＮ（例えば、ＳＮ１）及び新しい接続のためのより適切なＳＮ（例えば、ＳＮ２）のような情報を含む。
・ステップ１２．５：  ＳＮ１は、ＳＮ２がより適切なセル（例えば、Ｃｅｌｌ２）を提供することを見出す。したがって、ＳＮ１は、１６０５において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ１２．６：  ＭＮは、１６０６において、ＳＮ２にセカンダリノードとしてのＳＮ２をＵＥに追加するように要求するためのメッセージ（例えば、ＳＮ追加要求）をＳＮ２に送信する。メッセージはＣｅｌｌ２を識別する情報を運ぶことができる。
・ステップ１２．７：  ＳＮ２は、１６０７において、セカンダリノードとしてＳＮ２を追加する要求を確認するためのメッセージ（例えば、ＳＮ追加要求確認）をＭＮに送信する。
・ステップ１２．８：  ＭＮは、１６０８において、ＵＥとＳＮ２との間の接続を再構成するためのメッセージ（例えば、ＲＲＣ再構成）をＵＥに送信する。
・ステップ１２．９：  ＵＥは、１６０９において、再構成が完了したことを示すメッセージ（例えば、ＲＲＣ再構成完了）を送信する。
・ステップ１２．１０：  ＭＮは、１６１０において、ＳＮ変更を確認するためのメッセージ（例えば、ＳＮ変更確認）をＳＮ１に送信する。
・ステップ１２．１１：  ＭＮは、１６１１において、メッセージ（例えば、ＳＮ再構成完了）をＳＮ２に送信して、セカンダリノードの再構成が完了したことを示す。
・ステップ１２．１２：  ＵＥは、１６１２において、Ｃｅｌｌ２へのアクセスを獲得する。
・ステップ１２．１３：  ＳＮ２から以前に受信されたメッセージ（例えば、ＳＮ失敗指示）に基づいて、ＳＮ１は、ＳＮ変更要求がＳＮ１から送信される直前にＲＬＦが発生したことを知る。ＳＮ２への新しい接続は、後に成功裏に確立された。次いで、ＳＮ１は、１６１３において、ＳＮ２へのＳＮ変更が遅すぎた（遅すぎたＳＮ変更としても知られている）ことを判定する。
・ステップ１２．１４：  ＳＮ１は、遅すぎるＳＮ変更及び他のタイプの不適切なＳＮ変更のような不適切なＳＮ変更についての統計を蓄積することができる。次いで、ＳＮ１は、累積された統計に基づいてＳＮ２へのＳＮ変更をトリガするために、１以上の閾値を調整することができる。例えば、遅すぎるＳＮ変更があまりに頻繁に起こる場合、調整された閾値は、ＳＮ１からＳＮ２へのＳＮ変更の数を増加させることができる。
【０１１９】
［実施形態１３］
図１７は、ＳＮ変更のための、ＵＥと、ＭＮと、ＳＮ（例えば、ＳＮ１及びＳＮ２）との間の別の代表的なシグナリング手順を示す。
【０１２０】
・ステップ１３．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１７０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ１３．２：  ＭＮは、１７０２において、ＳＮ２にセカンダリノードとしてのＳＮ２をＵＥに追加するように要求するためのメッセージ（例えば、ＳＮ追加要求）をＳＮ２に送信する。メッセージはＣｅｌｌ２を識別する情報を運ぶことができる。
【０１２１】
・ステップ１３．３：  ＳＮ２は、１７０３において、セカンダリ通信ノードとしてＳＮ２を追加する要求を確認するためのメッセージ（例えば、ＳＮ追加要求確認）をＭＮに送信する。
・ステップ１３．４：  ＭＮは、１７０４において、ＵＥとＳＮ２との間の接続を再構成するためのメッセージ（例えば、ＲＲＣ再構成）をＵＥに送信する。
・ステップ１３．５：１７０５において、ＵＥは、再構成が完了したことを示すメッセージ（例えば、ＲＲＣ再構成完了）を送信する。
・ステップ１３．６：  １７０６において、ＭＮは、ＳＮ変更を確認するために、メッセージ（例えば、ＳＮ変更確認）をＳＮ１に送信する。
【０１２２】
・ステップ１３．７：  ＭＮは、１７０７において、メッセージ（例えば、ＳＮ再構成完了）をＳＮ２に送信して、セカンダリノードの再構成が完了したことを示す。
・ステップ１３．８：  ＵＥは、１７０８において、Ｃｅｌｌ２へのアクセスを獲得する。
・ステップ１３．９：  ＳＮ２は、１７０９において、ＳＮ変更（例えば、ＳＮ変更要求）を要求するためのメッセージをＭＮに送信する。メッセージは、ＳＮ１によって提供されるＣｅｌｌ１を識別する情報を運ぶことができる。
【０１２３】
・ステップ１３．１０：  ＭＮは、１７１０において、ＳＮ１をＵＥへのセカンダリノードとして追加することを要求するために、ＳＮ１にメッセージ（例えば、ＳＮ追加要求）を送信する。メッセージはＣｅｌｌ１を識別する情報を運ぶことができる。
・ステップ１３．１１：  ＭＮは、ＳＮ１からＳＮ２へのＳＮ変更が完了した直後に、ＳＮ２からＳＮ１へのＳＮ変更が要求されたことを、ＳＮ１及びＳＮ２から受信したメッセージ（例えば、ＳＮ変更要求）に基づいて判定することができる。ＭＮは、ＵＥがＳＮ１及び／又はＳＮ２に接続されているときにＲＬＦがないことも知っている。したがって、ＭＮは、１７１１において、ＳＮ１とＳＮ２との間のピンポンＳＮ変更が発生したことを判定することができる。
【０１２４】
・ステップ１３．１２：ＭＮは、１７１２において、ＳＮの変更を報告するためのメッセージ（例えば、ＳＮ変更報告）をＳＮ１に送信する。メッセージは、ピンポン（Ping-Pong）ＳＮ変更が発生したことを示す情報を伝送できる。
・ステップ１３．１３：  ＳＮ１は、ピンポンＳＮ変更及び他のタイプの不適切なＳＮ変更などの不適切なＳＮ変更についての統計を蓄積することができる。次いで、ＳＮ１は、累積された統計に基づいてＳＮ２へのＳＮ変更をトリガするために、１以上の閾値を調整することができる。例えば、ＳＮ１とＳＮ２との間のピンポンＳＮ変更があまりに頻繁に起こる場合、閾値は、ＳＮ１からＳＮ２へのＳＮ変更の数を減らすために、又はＳＮ２からＳＮ１へのＳＮ変更の数を減らすために調整され得る。
【０１２５】
［実施形態１４］
図１８は、ＳＮ変更のための、ＵＥと、ＭＮと、ＳＮ（例えば、ＳＮ１及びＳＮ２）との間のさらに別の代表的なシグナリング手順を示す。
【０１２６】
・ステップ１４．１：  ＵＥは、マスタノード（ＭＮ）及びセカンダリノード１（ＳＮ１）とデュアル接続される。ＳＮ１によって提供されるＵＥの一次サービングセルは、Ｃｅｌｌ１である。ＳＮ１は、ＳＮ２がより適切なセル（例えば、Ｃｅｌｌ２）を提供することを見出す。したがって、ＳＮ１は、１８０１において、ＳＮ変更（例えば、ＳＮ変更要求）を要求するためのメッセージをＭＮに送信する。メッセージは、ＳＮ２によって提供されるＣｅｌｌ２を識別する情報を運ぶことができる。
・ステップ１４．２：  ＭＮは、１８０２において、ＳＮ２にセカンダリノードとしてのＳＮ２をＵＥに追加するように要求するためのメッセージ（例えば、ＳＮ追加要求）をＳＮ２に送信する。メッセージはＣｅｌｌ２を識別する情報を運ぶことができる。
・ステップ１４．３：  ＳＮ２は、１８０３において、セカンダリ通信ノードとしてＳＮ２を追加する要求を確認するためのメッセージ（例えば、ＳＮ追加要求確認）をＭＮに送信する。
【０１２７】
・ステップ１４．４：  ＭＮは、１８０４において、ＵＥとＳＮ２との間の接続を再構成するためのメッセージ（例えば、ＲＲＣ再構成）をＵＥに送信する。
・ステップ１４．５：ＵＥは、１８０５において、再構成が完了したことを示すメッセージ（例えば、ＲＲＣ再構成完了）を送信する。
・ステップ１４．６：  １８０６において、ＭＮは、ＳＮ変更を確認するために、メッセージ（例えば、ＳＮ変更確認）をＳＮ１に送信する。
【０１２８】
・ステップ１４．７：  ＭＮは、１８０７において、メッセージ（例えば、ＳＮ再構成完了)をＳＮ２に送信して、セカンダリノードの再構成が完了したことを示す。
・ステップ１４．８：  ＵＥは、ここで、１８０８において、Ｃｅｌｌ２へのアクセスを獲得する。
・ステップ１４．９：  ＳＮ２は、１８０９において、ＳＮ変更（例えば、ＳＮ変更要求）を要求するためのメッセージをＭＮに送信する。メッセージは、ＳＮ１によって提供されるＣｅｌｌ１を識別する情報を運ぶことができる。
・ステップ１４．１０：  ＭＮは、１８１０において、ＳＮ１にセカンダリノードとしてのＳＮ１をＵＥに追加することを要求するメッセージ（例えば、ＳＮ追加要求）を送信する。メッセージはＣｅｌｌ１を識別する情報を運ぶことができる。
【０１２９】
・ステップ１４．１１：  ＳＮ１は、ＳＮ１からＳＮ２へのＳＮ変更が完了した直後に、ＳＮ２からＳＮ１へのＳＮ変更が要求されたことを、ＭＮから受信したメッセージ（例えば、ＳＮ追加要求）に基づいて判定することができる。ＳＮ１は、ＵＥがＳＮ１及び／又はＳＮ２に接続されているときにＲＬＦがないことも知っている。したがって、ＳＮ１は、１８１１において、ＳＮ１とＳＮ２との間でピンポンＳＮ変更が生じたことを判定することができる。
【０１３０】
・ステップ１４．１２：  ＳＮ1は、Ping-Pong SN変更及び他のタイプの不適切なＳＮ変更などの不適切なＳＮ変更についての統計を蓄積することができる。次いで、ＳＮ１は、累積された統計に基づいてＳＮ２へのＳＮ変更をトリガするために、１以上の閾値を調整することができる。例えば、ＳＮ１とＳＮ２との間のピンポンＳＮ変更があまりに頻繁に起こる場合、閾値は、ＳＮ１からＳＮ２へのＳＮ変更の数を減らすために、又はＳＮ２からＳＮ１へのＳＮ変更の数を減らすために調整され得る。したがって、二重接続モードにおけるセカンダリノード変更を処理することに関する方法及び対応する装置が開示されることは明らかである。開示された技法を使用する様々な実施形態は、マスタ通信ノード又はセカンダリ通信ノードのいずれかが、通信ノード変更のためのより良い将来の判定を行うことを可能にし、それによって、不適切な通信ノード変更の数を低減するように実装され得る。
【０１３１】
以上のことから、ここに開示された技術の特定の実施形態は、例示の目的で本明細書に記載されているが、本発明の範囲から逸脱することなく、様々な修正を行うことができることが理解されるであろう。したがって、本開示の技術は、添付の特許請求の範囲による場合を除き、限定されない。
【０１３２】
開示された実施形態及び他の実施形態、モジュール、ならびに本明細書に記載された機能的動作は、デジタル電子回路、又は、本明細書に開示された構造及びそれらの構造的等価物を含むコンピュータソフトウェア、ファームウェア、もしくはハードウェア、又はそれらのうちの１つもしくは複数の組み合わせで実施することができる。開示された実施形態及び他の実施形態は、１以上のコンピュータ・プログラム製品、すなわち、データ処理装置による実行のために、又はデータ処理装置の動作を制御するために、コンピュータ可読媒体上に符号化されたコンピュータ・プログラム命令の１以上のモジュールとして実装することができる。
【０１３３】
コンピュータ可読媒体は、機械可読記憶デバイス、機械可読記憶基板、メモリデバイス、機械可読伝播信号に影響を及ぼす物質の組成物、又はそれらの１以上の組合せとすることができる。用語「データ処理装置」は、例として、プログラマブルプロセッサ、コンピュータ、又は複数のプロセッサもしくはコンピュータを含む、データを処理するためのすべての装置、デバイス、及び機械を包含する。この装置は、ハードウェアに加えて、問題のコンピュータ・プログラムのための実行環境を作成するコード、例えば、プロセッサファームウェア、プロトコルスタック、データベース管理システム、オペレーティングシステム、又はそれらの１以上の組み合わせを構成するコードを含むことができる。伝搬された信号は、人工的に生成された信号、例えば、機械で生成された電気信号、光信号、又は電磁信号であり、これらは、適切な受信装置への送信のために情報を符号化するために生成される。
【０１３４】
コンピュータ・プログラム（プログラム、ソフトウェア、ソフトウェア・アプリケーション、スクリプト、又はコードとも呼ばれる）は、コンパイル又は解釈された言語を含む任意の形式のプログラミング言語で記述することができ、スタンドアロン・プログラムとして、又はコンピューティング環境での使用に適したモジュール、コンポーネント、サブルーチン、又はその他のユニットとして、任意の形式で配置することができる。コンピュータ・プログラムは、必ずしもファイルシステム内のファイルに対応するわけではない。プログラムは、他のプログラム又はデータ（例えば、マークアップ言語明細書に記憶された１以上のスクリプト）を保持するファイルの一部、問題のプログラム専用の１つのファイル、又は複数の協調ファイル（例えば、１以上のモジュール、サブプログラム、又はコードの一部を記憶するファイル）に記憶することができる。コンピュータ・プログラムは、１つのコンピュータ上、又は１つのサイトに配置されるか、複数のサイトに分散され、通信ネットワークによって相互接続される複数のコンピュータ上で実行されるように展開することができる。
【０１３５】
本明細書に記載されているプロセス及び論理フローは、１以上のコンピュータ・プログラムを実行する１以上のプログラマブルプロセッサによって実行され、入力データを操作し、出力を生成することによって機能を実行することができる。プロセス及び論理フローはまた、ＦＰＧＡ（フィールド・プログラマブル・ゲート・アレイ）又はＡＳＩＣ（特定用途向け集積回路）のような特殊目的論理回路として実行することができ、装置を実装することもできる。
【０１３６】
コンピュータ・プログラムの実行に適したプロセッサには、一例として、汎用及び特殊目的マイクロプロセッサの両方、及び任意の種類のデジタルコンピュータの任意の１以上のプロセッサが含まれる。一般に、プロセッサは、読み出し専用メモリ又はランダムアクセスメモリ、あるいはその両方から命令及びデータを受信する。コンピュータの本質的な要素は、命令を実行するためのプロセッサと、命令及びデータを記憶するための１以上のメモリデバイスである。一般に、コンピュータはまた、データを記憶するための１以上の大容量記憶装置、例えば、磁気ディスク、光磁気ディスク、又は光ディスクを含むか、又はそれらからデータを受信するか、又はそれらにデータを転送するか、又はそれらの両方を行うように動作可能に結合される。しかしながら、コンピュータはそのような装置を有する必要はない。コンピュータ・プログラム命令及びデータを記憶するのに適したコンピュータ可読媒体には、例えば半導体メモリデバイス、例えばＥＰＲＯＭ、ＥＥＰＲＯＭ、及びフラッシュメモリデバイス、磁気ディスク、例えば内蔵ハードディスク又はリムーバブルディスク、磁気光学ディスク、及びＣＤＲＯＭ及びＤＶＤ−ＲＯＭディスクを含む、すべての形態の不揮発性メモリ、媒体及びメモリデバイスが含まれる。プロセッサ及びメモリは、特殊目的論理回路によって補足され得るか、又は特殊  目的論理回路に組み込まれ得る。
【０１３７】
この特許文献は多くの詳細を含むが、これらは、任意の発明の範囲又は請求され得るものの限定として解釈されるべきではなく、むしろ、特定の発明の特定の実施形態に特有であり得る特徴の説明として解釈されるべきである。別個の実施形態の文脈でこの特許文献に記載されている特定の特徴は、単一の実施形態において組み合わせて実施することもできる。逆に、単一の実施形態の文脈で説明される様々な特徴は、複数の実施形態で別々に、又は任意の適切なサブコンビネーションで実施することもできる。さらに、特徴は、特定の組み合わせで作用するものとして上記で説明されてもよく、そのようなものとして最初に特許請求されてもよいが、特許請求される組み合わせからの１以上の特徴は、場合によっては、組み合わせから削除されてもよく、特許請求される組み合わせは、サブコンビネーション又はサブコンビネーションの変形に向けられてもよい。
【０１３８】
同様に、動作は、特定の順序で図面に示されているが、これは、望ましい結果を達成するために、そのような動作が、示された特定の順序で、又は連続的な順序で実行されること、又は示されたすべての動作が実行されることを必要とするものとして理解されるべきではない。さらに、この特許文献に記載された実施形態における様々なシステム構成要素の分離は、すべての実施形態においてそのような分離を必要とするものとして理解されるべきではない。少数の実装及び例のみが説明され、他の実装、拡張及びバリエーションは、この特許明細書に記載され、図示されているものに基づいて行うことができる。
【図１】
2021518729.tif 000003
【図２】
2021518729.tif 000004
【図３Ａ】
2021518729.tif 000005
【図３Ｂ】
2021518729.tif 000006
【図３Ｃ】
2021518729.tif 000007
【図４Ａ】
2021518729.tif 000008
【図４Ｂ】
2021518729.tif 000009
【図５】
2021518729.tif 000010
【図６】
2021518729.tif 000011
【図７】
2021518729.tif 000012
【図８】
2021518729.tif 000013
【図９】
2021518729.tif 000014
【図１０】
2021518729.tif 000015
【図１１】
2021518729.tif 000016
【図１２】
2021518729.tif 000017
【図１３】
2021518729.tif 000018
【図１４】
2021518729.tif 000019
【図１５】
2021518729.tif 000020
【図１６】
2021518729.tif 000021
【図１７】
2021518729.tif 000022
【図１８】
2021518729.tif 000023
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マスタ通信ノードにおいて、第1のセカンダリ通信ノードから、モバイル装置と前記第１のセカンダリ通信ノードとの間の第１の接続から、前記モバイル装置と第２のセカンダリ通信ノードとの間の第２の接続への変更を要求する第１のメッセージを受信するステップであって、前記第１のメッセージは、前記第２のセカンダリ通信ノードを識別する情報を含むステップと、
前記マスタ通信ノードから、前記第２のセカンダリ通信ノードへの第２のメッセージを送信して、前記モバイル装置と前記第２のセカンダリ通信ノードとの間の第２の接続の確立を要求するステップと、
前記マスタ通信ノードにおいて、前記モバイル装置から、前記モバイル装置と第２のセカンダリ通信ノードとの間の第２の接続の構成を確認する第３のメッセージを受信するステップと、
前記マスタ通信ノードにおいて、前記モバイル装置から、前記モバイル装置と第２のセカンダリ通信ノードとの間の第２の接続の失敗を示す第４のメッセージを受信するステップと、
前記マスタ通信ノードから前記第1のセカンダリ通信ノードへ、前記第１の接続から前記第２の接続への変更が不適切な変更であることを通知する第５のメッセージを送信するステップと
を含む、ワイヤレス通信の方法。
【請求項２】
前記マスタ通信ノードによって、前記モバイル装置と前記第２のセカンダリ通信ノードとの間の前記第２の接続から、前記モバイル装置と第３のセカンダリ通信ノードとの間の第３の接続に変更することを決定するステップを含む、請求項１に記載の方法。
【請求項３】
前記第２の接続から前記第３の接続に変更することを決定するステップは、
前記マスタ通信ノードにおいて、前記第２のセカンダリ通信ノードから、前記第２の接続を前記第３の接続に変更することを要求する第６のメッセージを受信することを含み、
前記第６のメッセージは、前記第３のセカンダリ通信ノードを識別する情報を含む、請求項２に記載の方法。
【請求項４】
前記第２の接続から前記第３の接続に変更することを決定するステップは、
前記マスタ通信ノードにより、第４のメッセージに含まれる測定結果に基づいて、前記第３の接続を確立するために使用される第３のセカンダリ通信ノードを識別する、請求項２に記載の方法。
【請求項５】
前記マスタ通信ノードは、次のタイプの理由コードのうちの１つを使用して、前記第１の接続から前記第２の接続への不適切な変更を示す、請求項１に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項６】
ワイヤレス通信のための方法であって、
第１のセカンダリ通信ノードからマスタ通信ノードに第１のメッセージを送信して、前記モバイル装置と第１のセカンダリ通信ノードとの間の第１の接続から前記モバイル装置と第２のセカンダリ通信ノードとの間の第２の接続への変更を要求するステップと、
前記第１のセカンダリ通信ノードにおいて、マスタ通信ノードから、前記第１の接続から前記第２の接続への変更を確認する第２のメッセージを受信するステップと、
前記第１のセカンダリ通信ノードにおいて、前記モバイル装置と前記第２のセカンダリ通信ノードとの間の前記第２の接続の失敗を示す第３のメッセージを受信するステップと、
前記第１の接続から前記第２の接続への変更が不適切な変更であるとの判断に基づいて、前記第１のセカンダリ通信ノードにより、前記第２のセカンダリ通信ノードへの接続変更を低減するため、１以上の閾値を調整するステップと
を含む、ワイヤレス通信のための方法。
【請求項７】
前記第３のメッセージは、前記第２のセカンダリ通信ノードから受信され、前記第３のメッセージは、前記第１の接続から前記第２の接続への変更が不適切な変更であることを報告するための情報を含む、請求項６に記載の方法。
【請求項８】
前記第３のメッセージは、前記マスタ通信ノードから受信され、
前記第１のセカンダリ通信ノードから、前記第２のセカンダリ通信ノードに、前記１以上の閾値を調整する前に、前記モバイル装置と前記セカンダリ通信ノードとの間の前記第２の接続の失敗を示す第４のメッセージを送信するステップと、
前記第１のセカンダリ通信ノードにおいて、前記第２のセカンダリ通信ノードから、前記第１の接続から前記第２の接続への変更が不適切な変更であることを通知する第５のメッセージを受信するステップと
を含む、請求項６に記載の方法。
【請求項９】
前記第１の接続から前記第２の接続への前記不適切な変更は、次のタイプの理由コードのうちの１つを使用して示される、請求項６に記載の方法。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項１０】
前記第１の接続から前記第２の接続への前記不適切な変更は、早すぎるセカンダリノード変更の理由コードを使用して示される、請求項６に記載の方法。
【請求項１１】
プロセッサと、
前記プロセッサで実行可能なコードを含むメモリと
を備え、
前記プロセッサで実行可能なコードにより、前記プロセッサは、
前記第１のセカンダリ通信ノードから、モバイル装置と前記第１のセカンダリ通信ノードとの間の第１の通信から、前記モバイル装置と第２のセカンダリ通信ノードとの間の第２の通信に変更することを要求する第１のメッセージを受信するステップであって、前記第１のメッセージは、前記第２のセカンダリ通信ノードを識別する情報を含むステップと、
前記第２のセカンダリ通信ノードへの第２のメッセージを送信して、前記モバイル装置と前記第２のセカンダリ通信ノードとの間の第２の接続の確立を要求するステップと、
前記モバイル装置から、前記モバイル装置と第２のセカンダリ通信ノードとの間の第２の接続の構成を確認する第３のメッセージを受信するステップと、
前記モバイル装置から、前記モバイル装置と第２のセカンダリ通信ノードとの間の第２の接続の失敗を示す第４のメッセージを受信するステップと、
前記第１のセカンダリ通信ノードへ、前記第１の接続から前記第２の接続への変更が不適切な変更であることを通知する第５のメッセージを送信するステップと
を実行するよう構成される、ワイヤレス通信のための装置。
【請求項１２】
前記プロセッサは、前記モバイル装置と前記第２のセカンダリ通信ノードとの間の前記第２の接続から、前記モバイル装置と第３のセカンダリ通信ノードとの間の第３の接続に変更することを決定するよう構成される、請求項１１に記載の装置。
【請求項１３】
前記プロセッサは、前記第２のセカンダリ通信ノードから、前記第２の接続を前記第３の接続に変更することを要求する第６のメッセージを受信するよう構成され、前記第６のメッセージは、前記第３のセカンダリ通信ノードを識別する情報を含む、請求項１２に記載の装置。
【請求項１４】
前記プロセッサは、前記第４のメッセージに含まれる測定結果に基づいて、前記第３の接続を確立するために使用される第３のセカンダリ通信ノードを識別するよう構成された、請求項１２に記載の装置。
【請求項１５】
前記プロセッサは、次のタイプの理由コードのうちの１つを使用して、前記第１の接続から前記第２の接続への不適切な変更を示すよう構成される、請求項１１に記載の装置。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項１６】
プロセッサと、
前記プロセッサで実行可能なコードを含むメモリと
を備え、
前記プロセッサで実行可能なコードにより、前記プロセッサは、
マスタ通信ノードに第１のメッセージを送信して、モバイル装置と前記第１のセカンダリ通信ノードとの間の第１の接続から、前記モバイル装置と第２のセカンダリ通信ノードとの間の第２の接続への変更を要求するステップと、
前記マスタ通信ノードから、前記第１の接続から前記第２の接続への変更を確認する第２のメッセージを受信するステップと、
前記モバイル装置と第２のセカンダリ通信ノードとの間の第２の接続の失敗を示す第３のメッセージを受信するステップと、
前記第３のメッセージに基づいて、前記第１の接続から前記第２の接続への変更が不適切な変更であると判断するステップと
を実行するように構成される、ワイヤレス通信のための装置。
【請求項１７】
前記プロセッサは、前記第２のセカンダリ通信ノードから、前記第３のメッセージを受信するよう構成され、
前記第３のメッセージは、前記第１の接続から前記第２の接続への変更は不適切な変更であることを報告するための情報を含む、請求項１６に記載の装置。
【請求項１８】
前記プロセッサは、前記マスタ通信ノードから前記第３のメッセージを受信するよう構成され、
前記プロセッサは、
前記不適切な変更を決定する前に、前記第２のセカンダリ通信ノードへ、前記モバイル装置と前記第２のセカンダリ通信ノードとの間の第２の接続の失敗を示す第４のメッセージを送信し、
前記第２のセカンダリ通信ノードから、前記第１の接続から前記第２の接続への変更が不適切な変更であることを示す第５のメッセージを受信するよう構成された、請求項１６に記載の装置。
【請求項１９】
前記第１の接続から前記第２の接続への不適切な変更は、次の理由コードのうちの１つを用いて表示される、請求項１６に記載の装置。
・誤ったセカンダリノード変更（Wrong Secondary Node Change）
・早すぎるセカンダリノード変更（Too Early Secondary Node Change）
・遅すぎるセカンダリノード変更（Too Late  Secondary Node Change）
・ピンポンセカンダリノード変更（Ping-Pong Secondary Node Change）
【請求項２０】
前記第１の接続から前記第２の接続への不適切な変更は、前記早すぎるセカンダリノード変更（Too Early Secondary Node Change）又は前記誤ったセカンダリノード変更（Wrong Secondary Node Change）を用いて示される、請求項１６に記載の装置。
【国際調査報告】
2021518729.tif 000024
2021518729.tif 000025